(57)【要約】  本発明は、ＮｅｘｔＧｅｎネットワークのためのデフォルトのＱｏＳルールを生成するための解決策がないという先行技術の問題を解決するために、デフォルトのサービス品質（ＱｏＳ）の制御方法および装置を開示する。本発明の実施形態によるＳＭＦエンティティは、ＰＣＦエンティティによって送信された少なくとも１つのＰＣＣルールからターゲットＰＣＣルールを決定するステップと、ＳＭＦエンティティは、ターゲットＰＣＣルールに従ってＰＤＵセッションに対応するデフォルトのＱｏＳルールを生成し、前記デフォルトのＱｏＳルールを前記ＵＥに送信するするステップとを備える。本発明の実施形態によれば、ＰＤＵセッションの接続性およびＱｏＳ制御が保証され、デフォルトのＱｏＳルールを生成するためにＳＭＦによって使用されるターゲットＰＣＣルールは、ＵＥのＰＤＵセッションに対してＰＣＦエンティティのよって決定されたものであるため、特定のＵＥおよび特定のＰＤＵセッションの正確な制御が実施され、システム性能がさらに向上される。
2021510274.tif 000002
【特許請求の範囲】
【請求項１】
セッション管理機能（ＳＭＦ）エンティティは、ポリシー管理機能（ＰＣＦ）エンティティによって送信された少なくとも１つのポリシー課金制御（ＰＣＣ）ルールからターゲットＰＣＣルールを決定するステップと、
前記ＳＭＦエンティティは、前記ターゲットＰＣＣルールに従って前記ＰＤＵセッションに対応するデフォルトのＱｏＳルールを生成し、前記デフォルトのＱｏＳルールを前記ＵＥに送信するステップとを備え、
ここで、前記ＰＣＣルールは、ユーザー機器（ＵＥ）のために確立されたポリシーデータユニット（ＰＤＵ）セッションに属することを特徴とするデフォルトのサービス品質（ＱｏＳ）の制御方法。
【請求項２】
前記ＰＣＣルールは、第１の５Ｇ ＱｏＳ指示（５ＱＩ）、第１の割り当てと保持の優先度（Ａｌｌｏｃａｔｉｏｎ ａｎｄ Ｒｅｔｅｎｔｉｏｎ Ｐｒｉｏｒｉｔｙ, ＡＲＰ）、第１のパケットフィルタ情報および第１の優先度情報のうちの一部またはすべてを含むことを特徴とする請求項１に記載のデフォルトのサービス品質（ＱｏＳ）の制御方法。
【請求項３】
前記ＳＭＦエンティティが、ＰＣＦエンティティによって送信された少なくとも１つのＰＣＣルールからターゲットＰＣＣルールを決定することは、
前記ＳＭＦエンティティは、前記少なくとも１つのＰＣＣルールのうちの、デフォルト指示情報が含まれるＰＣＣルールをターゲットＰＣＣルールとし、または、
前記ＳＭＦエンティティは、前記少なくとも１つのＰＣＣルールのうちの、最も低い優先順位を有するＰＣＣルールをターゲットＰＣＣルールとすることを特徴とする請求項１または請求項２に記載のデフォルトのサービス品質（ＱｏＳ）の制御方法。
【請求項４】
前記ＳＭＦエンティティが、ＰＣＦエンティティによって送信された少なくとも１つのＰＣＣルールからターゲットＰＣＣルールを決定する前に、
前記ＳＭＦエンティティは、前記ＰＣＦエンティティによって送信されたセッションレベルパラメータを受信し、
前記ＳＭＦエンティティが、ＰＣＦエンティティによって送信された少なくとも１つのＰＣＣルールからターゲットＰＣＣルールを決定することは、
前記ＳＭＦエンティティは、各ＰＣＣルール内の、前記セッションレベルパラメータと対応する第１のタイプの情報を決定し、前記セッションレベルパラメータと同じである第１のタイプの情報が配置されているＰＣＣルールを前記ターゲットＰＣＣルールとすることを特徴とする請求項１または請求項２に記載のデフォルトのサービス品質（ＱｏＳ）の制御方法。
【請求項５】
前記セッションレベルパラメータは第２の５ＱＩおよび/または第２のＡＲＰを含み、
前記ＳＭＦエンティティが各ＰＣＣルール内の前記セッションレベルパラメータと対応する第１のタイプの情報を決定することは、
前記ＳＭＦエンティティは、各ＰＣＣルール内の第１の５ＱＩおよび/または第１のＡＲＰを第１のタイプの情報とすることを備えることを特徴とする請求項４に記載のデフォルトのサービス品質（ＱｏＳ）の制御方法。
【請求項６】
前記ＳＭＦエンティティが、前記ターゲットＰＣＣルールに従って前記ＰＤＵセッションに対応するデフォルトのＱｏＳルールを生成する前に、
前記ＳＭＦエンティティは、前記ＰＤＵセッションに割り当てられたデフォルトのＱｏＳフローのＱｏＳフロー識別子ＱＦＩを決定し、
前記ＳＭＦエンティティが、前記ターゲットＰＣＣルールに従って前記ＰＤＵセッションに対応するデフォルトのＱｏＳルールを生成することは、
前記ＳＭＦエンティティは、前記デフォルトのＱｏＳフローのＱＦＩと前記ターゲットＰＣＣルールに従って、前記ＰＤＵセッションに対応するデフォルトのＱｏＳルールを生成することを備えることを特徴とする請求項１から請求項５のいずれか一項に記載のデフォルトのサービス品質（ＱｏＳ）の制御方法。
【請求項７】
前記デフォルトのＱｏＳルールは、第３の５ＱＩ、第３のＡＲＰ、第２のパケットフィルタ情報、第２の優先度情報およびデフォルトのＱｏＳフローのＱＦＩのうちの一部またはすべてを含むことを特徴とする請求項６に記載のデフォルトのサービス品質（ＱｏＳ）の制御方法。
【請求項８】
前記ＳＭＦエンティティは、次のスキームの一部またはすべてで、前記ＰＤＵセッションに対応するデフォルトのＱｏＳルールを生成し、
スキーム１：前記ＳＭＦエンティティは、前記ターゲットＰＣＣルール内の第１の５ＱＩを前記デフォルトのＱｏＳルール内の第３の５ＱＩとし、
スキーム２：前記ＳＭＦエンティティは、前記ターゲットＰＣＣルール内の第１のＡＲＰを前記デフォルトのＱｏＳルール内の第３のＡＲＰとし、
スキーム３：前記ＳＭＦエンティは、前記ターゲットＰＣＣルール内の第１のパケットフィルタ情報を前記デフォルトのＱｏＳルール内の第２のパケットフィルタ情報とし、
スキーム４：前記ＳＭＦエンティティは、前記ターゲットＰＣＣルール内の第１の優先度情報を前記デフォルトのＱｏＳルール内の第２の優先度情報とし、
スキーム５：前記ＳＭＦエンティティは、前記デフォルトのＱｏＳフローのＱＦＩを前記デフォルトのＱｏＳルール内のデフォルトのＱｏＳフローのＱＦＩとすることを特徴とする請求項７に記載のデフォルトのサービス品質（ＱｏＳ）の制御方法。
【請求項９】
前記ＳＭＦエンティティが、前記ターゲットＰＣＣルールに従って前記ＰＤＵセッションに対応するデフォルトのＱｏＳルールを生成した後に、
前記ＳＭＦエンティティは、前記第２のパケットフィルタ情報と前記デフォルトのＱｏＳフローのＱＦＩをＵＰＦエンティティに送信し、ＵＰＦエンティティに前記第２のパケットフィルタ情報とマッチングするダウンリンクデータを前記デフォルトのＱｏＳフローを介して送信させるようにすることを特徴とする請求項６から請求項８のいずれか一項に記載のデフォルトのサービス品質（ＱｏＳ）の制御方法。
【請求項１０】
ポリシー管理機能（ＰＣＦ）エンティティは、ユーザー機器（ＵＥ）のために確立された１つのポリシーデータユニット（ＰＤＵ）セッションに対応する少なくとも１つのポリシー課金制御（ＰＣＣ）ルールを決定するステップと、 
前記ＰＣＦエンティティは、前記少なくとも１つのＰＣＣルールをセッション管理機能（ＳＭＦ）エンティティに送信し、前記ＳＭＦエンティティに前記少なくとも１つのＰＣＣルールからターゲットＰＣＣルールを決定して、前記ターゲットＰＣＣルールに従って前記ＰＤＵセッションに対応するデフォルトのＱｏＳルールを生成させるようにするステップとを備えることを特徴とするデフォルトのサービス品質制御方法。
【請求項１１】
前記ＰＣＣルールは、第１の５Ｇ ＱｏＳ指示（５ＱＩ）、第１の割り当てと保持の優先度（Ａｌｌｏｃａｔｉｏｎ ａｎｄ Ｒｅｔｅｎｔｉｏｎ Ｐｒｉｏｒｉｔｙ, ＡＲＰ）、第１のパケットフィルタ情報および第１の優先度情報のうちの一部またはすべてを含むことを特徴とする請求項１０に記載のデフォルトのサービス品質制御方法。
【請求項１２】
前記ＰＣＦエンティティが前記少なくとも１つのＰＣＣルールを前記ＳＭＦエンティティに送信することは、
前記ＰＣＦエンティティは、前記少なくとも１つのＰＣＣルール内の１つのＰＣＣルールにデフォルト指示情報を追加し、前記デフォルト指示情報が含まれるＰＣＣルールおよびほかの前記デフォルト指示情報が含まれていないＰＣＣルールを前記ＳＭＦエンティティに送信することにより、前記ＳＭＦエンティティに前記デフォルト指示情報に従ってターゲットＰＣＣルールを決定させるようにし、または、
前記ＰＣＦエンティティは、第１の優先度情報が含まれる少なくとも１つのＰＣＣルールを前記ＳＭＦエンティティに送信し、前記ＳＭＦエンティティに前記第１の優先度情報に従ってターゲットＰＣＣルールを決定させるようにすることを特徴とする請求項１０または請求項１１に記載のデフォルトのサービス品質制御方法。
【請求項１３】
前記ＰＣＦエンティティが前記少なくとも１つのＰＣＣルールを前記ＳＭＦエンティティに送信する前に、
前記ＰＣＦエンティティは、前記ＰＤＵセッションに対応するセッションレベルパラメータを決定し、
前記ＰＣＦエンティティが前記少なくとも１つのＰＣＣルールを前記ＳＭＦエンティティに送信することは、
前記ＰＣＦエンティティは、前記ＳＭＦエンティティに前記セッションレベルパラメータに従って、ターゲットＰＣＣルールを決定するように、前記少なくとも１つのＰＣＣルールおよび前記セッションレベルパラメータを前記ＳＭＦエンティティに送信することを特徴とする請求項１０または請求項１１に記載のデフォルトのサービス品質制御方法。
【請求項１４】
前記セッションレベルパラメータは第２の５ＱＩおよび/または第２のＡＲＰを含むことを特徴とする請求項１３に記載のデフォルトのサービス品質制御方法。
【請求項１５】
前記ＰＣＦエンティティは、
前記ＵＥの識別子、前記ＰＤＵセッションによってアクセスされるデータネットワーク名称（Ｄａｔａ Ｎｅｔｗｏｒｋ Ｎａｍｅ, ＤＮＮ）情報、前記ＵＥのサブスクリプション関連情報および前記ＵＥのデータモデル予測情報のうちの一部またはすべての情報に従って、前記ＰＣＣルール内の第１のパケットフィルタ情報を決定することを特徴とする請求項１１から請求項１４のいずれか一項に記載のデフォルトのサービス品質制御方法。
【請求項１６】
セッション管理機能（ＳＭＦ）エンティティは、ポリシー管理機能（ＰＣＦ）エンティティによって送信された第３のパケットフィルタ情報が含まれるセッションレベルパラメータを受信するステップと、
前記ＳＭＦエンティティは、前記セッションレベルパラメータに従って前記ＰＤＵセッションに対応するデフォルトのＱｏＳルールを生成し、前記デフォルトのＱｏＳルールを前記ＵＥに送信するステップとを備え、
ここで、前記セッションレベルパラメータは、ユーザー機器（ＵＥ）のために確立されたポリシーデータユニット（ＰＤＵ）セッションに属することを特徴とするデフォルトのサービス品質制御方法。
【請求項１７】
前記セッションレベルパラメータは、第４の５Ｇ ＱｏＳ指示（５ＱＩ）、第４の割り当てと保持の優先度（Ａｌｌｏｃａｔｉｏｎ ａｎｄ Ｒｅｔｅｎｔｉｏｎ Ｐｒｉｏｒｉｔｙ, ＡＲＰ）および第３の優先度情報のうちの一部またはすべてを含むことを特徴とする請求項１６に記載のデフォルトのサービス品質制御方法。
【請求項１８】
前記ＳＭＦエンティティが、前記セッションレベルパラメータに従って前記ＰＤＵセッションに対応するデフォルトのＱｏＳルールを生成する前に、
前記ＳＭＦエンティティは、前記ＰＤＵセッションに割り当てられたデフォルトのＱｏＳフローのＱｏＳフロー識別子ＱＦＩを決定し、
前記ＳＭＦエンティティが、前記セッションレベルパラメータに従って前記ＰＤＵセッションに対応するデフォルトのＱｏＳルールを生成することは、
前記ＳＭＦエンティティは、前記デフォルトのＱｏＳフローのＱＦＩと前記セッションレベルパラメータに従って、前記ＰＤＵセッションに対応するデフォルトのＱｏＳルールを生成することを備えることを特徴とする請求項１６または請求項１７に記載のデフォルトのサービス品質制御方法。
【請求項１９】
前記デフォルトのＱｏＳルールは、第５の５ＱＩ、第５のＡＲＰ、第４のパケットフィルタ情報、第４の優先度情報およびデフォルトのＱｏＳフローのＱＦＩのうちの一部またはすべてを含むことを特徴とする請求項１８に記載のデフォルトのサービス品質制御方法。
【請求項２０】
前記ＳＭＦエンティティは、次のスキームの一部またはすべてで、前記ＰＤＵセッションに対応するデフォルトのＱｏＳルールを生成し、
スキーム１：前記ＳＭＦエンティティは、前記セッションレベルパラメータ内の第４の５ＱＩを前記デフォルトのＱｏＳルール内の第５の５ＱＩとし、
スキーム２：前記ＳＭＦエンティティは、前記セッションレベルパラメータ内の第４のＡＲＰを前記デフォルトのＱｏＳルール内の第５のＡＲＰとし、
スキーム３：前記ＳＭＦエンティティは、前記セッションレベルパラメータ内の第３のパケットフィルタ情報を前記デフォルトのＱｏＳルール内の第４のパケットフィルタ情報とし、
スキーム４：前記ＳＭＦエンティティは、前記セッションレベルパラメータ内の第３の優先度情報を前記デフォルトのＱｏＳルール内の第４の優先度情報とし、
スキーム５：前記ＳＭＦエンティティは、前記デフォルトのＱｏＳフローのＱＦＩを前記デフォルトのＱｏＳルール内のデフォルトのＱｏＳフローのＱＦＩとすることを特徴とする請求項１９に記載のデフォルトのサービス品質制御方法。
【請求項２１】
前記ＳＭＦエンティティは、前記セッションレベルパラメータに従って前記ＰＤＵセッションに対応するデフォルトのＱｏＳルールを生成した後、
前記ＳＭＦエンティティは、ＵＰＦエンティティに前記第４のパケットフィルタ情報とマッチングするダウンリンクデータを前記デフォルトのＱｏＳフローを介して送信するように、前記第４のパケットフィルタ情報と前記デフォルトのＱｏＳフローのＱＦＩをＵＰＦエンティティに送信することを特徴とする請求項１８から請求項２０のいずれか一項に記載のデフォルトのサービス品質制御方法。
【請求項２２】
ポリシー管理機能（ＰＣＦ）エンティティは、ユーザー機器（ＵＥ）のために確立された１つのポリシーデータユニット（ＰＤＵ）セッションに対応する第３のパケットフィルタ情報が含まれるセッションレベルパラメータを決定し、
前記ＰＣＦエンティティは、前記セッションレベルパラメータをセッション管理機能（ＳＭＦ）エンティティに送信し、前記ＳＭＦに前記セッションレベルパラメータに従って前記ＰＤＵセッションに対応するデフォルトのＱｏＳルールを生成させるようにすることを特徴とするデフォルトのサービス品質制御方法。
【請求項２３】
前記セッションレベルパラメータは、第４の５Ｇ ＱｏＳ指示（５ＱＩ）、第４の割り当てと保持の優先度（Ａｌｌｏｃａｔｉｏｎ ａｎｄ Ｒｅｔｅｎｔｉｏｎ Ｐｒｉｏｒｉｔｙ, ＡＲＰ）および第３の優先度情報のうちの一部またはすべてを含むことを特徴とする請求項２２に記載のデフォルトのサービス品質制御方法。
【請求項２４】
前記ＰＣＦエンティティは、前記ＵＥの識別子、前記ＰＤＵセッションによってアクセスされるデータネットワーク名称（Ｄａｔａ Ｎｅｔｗｏｒｋ Ｎａｍｅ, ＤＮＮ）情報、前記ＵＥのサブスクリプション関連情報および前記ＵＥのデータモデル予測情報のうちの一部またはすべての情報に従って、前記セッションレベルパラメータ内の第３のパケットフィルタ情報を決定することを特徴とする請求項２２または請求項２３に記載のデフォルトのサービス品質制御方法。
【請求項２５】
プロセッサおよびメモリを備え、
前記プロセッサは、メモリ内のプログラムを読み取り、ＰＣＦエンティティによって送信された少なくとも１つのＰＣＣルールからターゲットＰＣＣルールを決定し、ここで、前記ＰＣＣルールは、ＵＥのために確立されたＰＤＵセッションに属し、前記ターゲットＰＣＣルールに従って前記ＰＤＵセッションに対応するデフォルトのＱｏＳルールを生成し、前記デフォルトのＱｏＳルールを前記ＵＥに送信することを特徴とするＳＭＦエンティティ。
【請求項２６】
前記ＰＣＣルールは、第１の５ＱＩ、第１のＡＲＰ、第１のパケットフィルタ情報および第１の優先度情報のうちの一部またはすべてを含むことを特徴とする請求項２５に記載のＳＭＦエンティティ。
【請求項２７】
前記プロセッサは、
前記少なくとも１つのＰＣＣルールのうちの、デフォルト指示情報が含まれるＰＣＣルールをターゲットＰＣＣルールとし、または、
前記少なくとも１つのＰＣＣルールのうちの、最も低い優先順位を有するＰＣＣルールをターゲットＰＣＣルールとすることを特徴とする請求項２５または請求項２６に記載のＳＭＦエンティティ。
【請求項２８】
前記プロセッサは、
ＰＣＦエンティティによって送信された少なくとも１つのＰＣＣルールからターゲットＰＣＣルールを決定する前に、前記ＰＣＦエンティティによって送信されたセッションレベルパラメータを受信し、
前記プロセッサは、各ＰＣＣルール内の、前記セッションレベルパラメータと対応する第１のタイプの情報を決定し、前記セッションレベルパラメータと同じである第１のタイプの情報が配置されているＰＣＣルールを前記ターゲットＰＣＣルールとすることを特徴とする請求項２５または請求項２６に記載のＳＭＦエンティティ。
【請求項２９】
前記セッションレベルパラメータは第２の５ＱＩおよび/または第２のＡＲＰを含み、
前記プロセッサは、
各ＰＣＣルール内の第１の５ＱＩおよび/または第１のＡＲＰを第１のタイプの情報とすることを特徴とする請求項２８に記載のＳＭＦエンティティ。
【請求項３０】
前記プロセッサは、
前記ターゲットＰＣＣルールに従って前記ＰＤＵセッションに対応するデフォルトのＱｏＳルールを生成する前に、前記ＰＤＵセッションに割り当てられたデフォルトのＱｏＳフローのＱＦＩを決定し、
前記プロセッサは、
前記デフォルトのＱｏＳフローのＱＦＩと前記ターゲットＰＣＣルールに従って、前記ＰＤＵセッションに対応するデフォルトのＱｏＳルールを生成することを特徴とする請求項２５から請求項２９のいずれか一項に記載のＳＭＦエンティティ。
【請求項３１】
前記デフォルトのＱｏＳルールは、
第３の５ＱＩ、第３のＡＲＰ、第２のパケットフィルタ情報、第２の優先度情報およびデフォルトのＱｏＳフローのＱＦＩのうちの一部またはすべてを含むことを特徴とする請求項３０に記載のＳＭＦエンティティ。
【請求項３２】
前記プロセッサは、
次のスキームの一部またはすべてで、前記ＰＤＵセッションに対応するデフォルトのＱｏＳルールを生成し、
スキーム１：前記ターゲットＰＣＣルール内の第１の５ＱＩを前記デフォルトのＱｏＳルール内の第３の５ＱＩとし、
スキーム２：前記ターゲットＰＣＣルール内の第１のＡＲＰを前記デフォルトのＱｏＳルール内の第３のＡＲＰとし、
スキーム３：前記ＳＭＦエンティは、前記ターゲットＰＣＣルール内の第１のパケットフィルタ情報を前記デフォルトのＱｏＳルール内の第２のパケットフィルタ情報とし、
スキーム４：前記ターゲットＰＣＣルール内の第１の優先度情報を前記デフォルトのＱｏＳルール内の第２の優先度情報とし、
スキーム５：前記デフォルトのＱｏＳフローのＱＦＩを前記デフォルトのＱｏＳルール内のデフォルトのＱｏＳフローのＱＦＩとすることを特徴とする請求項３１に記載のＳＭＦエンティティ。
【請求項３３】
前記プロセッサは、
前記ターゲットＰＣＣルールに従って前記ＰＤＵセッションに対応するデフォルトのＱｏＳルールを生成した後に、前記第２のパケットフィルタ情報と前記デフォルトのＱｏＳフローのＱＦＩをＵＰＦエンティティに送信し、ＵＰＦエンティティに前記第２のパケットフィルタ情報とマッチングするダウンリンクデータを前記デフォルトのＱｏＳフローを介して送信させるようにすることを特徴とする請求項３０から請求項３２のいずれか一項に記載のＳＭＦエンティティ。
【請求項３４】
プロセッサおよびメモリを備え、
前記プロセッサは、メモリ内のプログラムを読み取り、ＵＥのために確立された１つのＰＤＵセッションに対応する少なくとも１つのＰＣＣルールを決定し、前記ＳＭＦエンティティに、前記少なくとも１つのＰＣＣルールからターゲットＰＣＣルールを決定して、前記ターゲットＰＣＣルールに従って前記ＰＤＵセッションに対応するデフォルトのＱｏＳルールを生成するように、前記少なくとも１つのＰＣＣルールを前記ＳＭＦエンティティに送信することを特徴とするＰＣＦエンティティ。
【請求項３５】
前記ＰＣＣルールは、
第１の５ＱＩ、第１のＡＲＰ、第１のパケットフィルタ情報および第１の優先度情報のうちの一部またはすべてを含むことを特徴とする請求項３４に記載のＰＣＦエンティティ。
【請求項３６】
前記プロセッサは、
前記少なくとも１つのＰＣＣルール内の１つのＰＣＣルールにデフォルト指示情報を追加し、前記デフォルト指示情報が含まれるＰＣＣルールおよびほかの前記デフォルト指示情報が含まれていないＰＣＣルールを前記ＳＭＦエンティティに送信することにより、前記ＳＭＦエンティティに前記デフォルト指示情報に従ってターゲットＰＣＣルールを決定させるようにし、または、
第１の優先度情報が含まれる少なくとも１つのＰＣＣルールを前記ＳＭＦエンティティに送信し、前記ＳＭＦエンティティに前記第１の優先度情報に従ってターゲットＰＣＣルールを決定させるようにすることを特徴とする請求項３４または請求項３５に記載のＰＣＦエンティティ。
【請求項３７】
前記プロセッサは、
前記少なくとも１つのＰＣＣルールを前記ＳＭＦエンティティに送信する前に、前記ＰＤＵセッションに対応するセッションレベルパラメータを決定し、
前記プロセッサは、
前記ＳＭＦエンティティに前記セッションレベルパラメータに従って、ターゲットＰＣＣルールを決定するように、前記少なくとも１つのＰＣＣルールおよび前記セッションレベルパラメータを前記ＳＭＦエンティティに送信することを特徴とする請求項３４または請求項３５に記載のＰＣＦエンティティ。
【請求項３８】
前記セッションレベルパラメータは第２の５ＱＩおよび/または第２のＡＲＰを含むことを特徴とする請求項３７に記載のＰＣＦエンティティ。
【請求項３９】
前記プロセッサは、
前記ＵＥの識別子、前記ＰＤＵセッションによってアクセスされるＤＮＮ情報、前記ＵＥのサブスクリプション関連情報および前記ＵＥのデータモデル予測情報の一部またはすべての情報に従って、前記ＰＣＣルール内の第１のパケットフィルタ情報を決定することを特徴とする請求項３５から請求項３８のいずれか一項に記載のＰＣＦエンティティ。
【請求項４０】
ＰＣＦエンティティによって送信された少なくとも１つのＰＣＣルールからターゲットＰＣＣルールを決定するように構成された第１の決定モジュールと、
前記ターゲットＰＣＣルールに従って前記ＰＤＵセッションに対応するデフォルトのＱｏＳルールを生成し、前記デフォルトのＱｏＳルールを前記ＵＥに送信するように構成された第１の生成モジュールとを備え、
前記ＰＣＣルールは、ＵＥのために確立されたＰＤＵセッションに属することを特徴とするＳＭＦエンティティ。
【請求項４１】
ＵＥのために確立された１つのＰＤＵセッションに対応する少なくとも１つのＰＣＣルールを決定するように構成された第２の決定モジュールと、
前記ＳＭＦエンティティに、前記少なくとも１つのＰＣＣルールからターゲットＰＣＣルールを決定して、前記ターゲットＰＣＣルールに従って前記ＰＤＵセッションに対応するデフォルトのＱｏＳルールを生成するように、前記少なくとも１つのＰＣＣルールを前記ＳＭＦエンティティに送信するように構成された第１の送信モジュールとを備えることを特徴とするＰＣＦエンティティ。
【請求項４２】
プロセッサによって実行されると、請求項１から請求項９のいずれか１項の方法のステップまたは請求項１０から請求項１５のいずれか１項の方法のステップを実施するコンピュータプログラムを記憶するコンピュータ可読記憶媒体。
【請求項４３】
プロセッサおよびメモリを備え、
前記プロセッサは、メモリ内のプログラムを読み取り、ＰＣＦエンティティによって送信された第３のパケットフィルタ情報が含まれるセッションレベルパラメータを受信し、ここで、前記セッションレベルパラメータはＵＥのために確立されたＰＤＵセッションに属し、前記セッションレベルパラメータに従って前記ＰＤＵセッションに対応するデフォルトのＱｏＳルールを生成し、前記デフォルトのＱｏＳルールを前記ＵＥに送信することを特徴とするＳＭＦエンティティ。
【請求項４４】
前記セッションレベルパラメータは、第４の５ＱＩ、第４のＡＲＰおよび第３の優先度情報のうちの一部またはすべてを含むことを特徴とする請求項４３に記載のＳＭＦエンティティ。
【請求項４５】
前記プロセッサは、
前記セッションレベルパラメータに従って前記ＰＤＵセッションに対応するデフォルトのＱｏＳルールを生成する前に、前記ＰＤＵセッションに割り当てられたデフォルトのＱｏＳフローのＱＦＩを決定し、
前記プロセッサは、
前記デフォルトのＱｏＳフローのＱＦＩと前記セッションレベルパラメータに従って、前記ＰＤＵセッションに対応するデフォルトのＱｏＳルールを生成することを特徴とする請求項４３または請求項４４に記載のＳＭＦエンティティ。
【請求項４６】
前記デフォルトのＱｏＳルールは、
第５の５ＱＩ、第５のＡＲＰ、第４のパケットフィルタ情報、第４の優先度情報およびデフォルトのＱｏＳフローのＱＦＩのうちの一部またはすべてを含むことを特徴とする請求項４５に記載のＳＭＦエンティティ。
【請求項４７】
前記プロセッサは、
次のスキームの一部またはすべてで、前記ＰＤＵセッションに対応するデフォルトのＱｏＳルールを生成する：
スキーム１：前記セッションレベルパラメータ内の第４の５ＱＩを前記デフォルトのＱｏＳルール内の第５の５ＱＩとし、
スキーム２：前記セッションレベルパラメータ内の第４のＡＲＰを前記デフォルトのＱｏＳルール内の第５のＡＲＰとし、
スキーム３：前記セッションレベルパラメータ内の第３のパケットフィルタ情報を前記デフォルトのＱｏＳルール内の第４のパケットフィルタ情報とし、
スキーム４：前記セッションレベルパラメータ内の第３の優先度情報を前記デフォルトのＱｏＳルール内の第４の優先度情報とし、
スキーム５：前記デフォルトのＱｏＳフローのＱＦＩを前記デフォルトのＱｏＳルール内のデフォルトのＱｏＳフローのＱＦＩとすることを特徴とする請求項４６に記載のＳＭＦエンティティ。
【請求項４８】
前記プロセッサは、
前記セッションレベルパラメータに従って前記ＰＤＵセッションに対応するデフォルトのＱｏＳルールを生成した後、ＵＰＦエンティティに前記第４のパケットフィルタ情報とマッチングするダウンリンクデータを前記デフォルトのＱｏＳフローを介して送信するように、前記第４のパケットフィルタ情報と前記デフォルトのＱｏＳフローのＱＦＩをＵＰＦエンティティに送信することを特徴とする請求項４５から請求項４７に記載のいずれか一項に記載のＳＭＦエンティティ。
【請求項４９】
プロセッサおよびメモリを備え、
ここで、プロセッサは、メモリ内のプログラムを読み取り、
ＵＥのために確立された１つのＰＤＵセッションに対応する第３のパケットフィルタ情報が含まれるセッションレベルパラメータを決定して、前記ＳＭＦに前記セッションレベルパラメータに従って前記ＰＤＵセッションに対応するデフォルトのＱｏＳルールを生成するように、前記セッションレベルパラメータを前記ＳＭＦエンティティに送信することを特徴とするＰＣＦエンティティ。
【請求項５０】
前記セッションレベルパラメータは、第４の５ＱＩ、第４のＡＲＰおよび第３の優先度情報のうちの一部またはすべてを含むことを特徴とする請求項４９に記載のＰＣＦエンティティ。
【請求項５１】
前記プロセッサは、
前記ＵＥの識別子、前記ＰＤＵセッションによってアクセスされるＤＮＮ情報、前記ＵＥのサブスクリプション関連情報および前記ＵＥのデータモデル予測情報のうちの一部またはすべての情報に従って、前記セッションレベルパラメータ内の第３のパケットフィルタ情報を決定することを特徴とする請求項４９または請求項５０に記載のＰＣＦエンティティ。
【請求項５２】
ＰＣＦエンティティによって送信された第３のパケットフィルタ情報が含まれるセッションレベルパラメータを受信するように構成された受信モジュールと、
前記セッションレベルパラメータに従って前記ＰＤＵセッションに対応するデフォルトのＱｏＳルールを生成し、前記デフォルトのＱｏＳルールを前記ＵＥに送信するように構成された第２の生成モジュールとを備え、
前記セッションレベルパラメータはＵＥのために確立されたＰＤＵセッションに属することを特徴とするＳＭＦエンティティ。
【請求項５３】
ＵＥのために確立された１つのＰＤＵセッションに対応する第３のパケットフィルタ情報が含まれるセッションレベルパラメータを決定するように構成された第３の決定モジュールと、
前記ＳＭＦに、前記セッションレベルパラメータに従って前記ＰＤＵセッションに対応するデフォルトのＱｏＳルールを生成するように、前記セッションレベルパラメータを前記ＳＭＦエンティティに送信するように構成された第２の送信モジュールとを備えることを特徴とするＰＣＦエンティティ。
【請求項５４】
プロセッサによって実行されると、請求項１６から請求項２１のいずれか１項の方法のステップまたは請求項２２から請求項２４のいずれか１項の方法のステップを実施するコンピュータプログラムを記憶するコンピュータ可読記憶媒体。
【発明の詳細な説明】
【技術分野】
【０００１】
関連出願の相互参照
本出願は、２０１８年１月１２日に中国特許局に提出し、出願番号が２０１８１００３１２８１．５であり、発明名称が「デフォルトのサービス品質（ＱｏＳ）の制御方法および装置」との中国特許出願を基礎とする優先権を主張し、その開示の総てをここに取り込む。
【０００２】
本発明は、通信技術分野に関し、特にデフォルトのサービス品質制御方法および装置に関する。
【背景技術】
【０００３】
次世代（ＮｅｘｔＧｅｎ）ネットワークでは、ネットワークアーキテクチャは、既存のネットワークアーキテクチャと比較して大きな変化を遂げている。図１に示すようなＮｅｘｔＧｅｎネットワークアーキテクチャでは、ＵＥ（Ｕｓｅｒ Ｅｑｕｉｐｍｅｎｔ，ユーザー機器）はユーザー端末であり、ＡＮ（Ａｃｃｅｓｓ Ｎｅｔｗｏｒｋ，アクセスネットワーク）はアクセスネットワークデバイス（基地局など）であり、ＵＰＦ（Ｕｓｅｒ Ｐｌａｎｅ Ｆｕｎｃｔｉｏｎ，ユーザープレーン機能）エンティティはユーザープレーンアンカー、ＡＭＦ（Ａｃｃｅｓｓ ａｎｄ Ｍｏｂｉｌｉｔｙ Ｍａｎａｇｅｍｅｎｔ Ｆｕｎｃｔｉｏｎ，アクセスおよびモビリティ管理機能）エンティティおよびＳＭＦ（Ｓｅｓｓｉｏｎ Ｍａｎａｇｅｍｅｎｔ Ｆｕｎｃｔｉｏｎ，セッション管理機能）エンティティは、制御プレーンネットワークノードであり、ＡＭＦエンティティはモビリティ管理を担当し、ＵＥとＡＮに接続される。ＳＭＦエンティティはセッション管理を担当し、ＵＰＦエンティティに接続される。ＰＣＦ（Ｐｏｌｉｃｙ Ｃｏｎｔｒｏｌ Ｆｕｎｃｔｉｏｎ，ポリシー制御機能）エンティティは、ＰＣＣ（ｐｏｌｉｃｙ ａｎｄ ｃｈａｒｇｉｎｇ ｃｏｎｔｒｏｌ，ポリシーおよび課金制御）システムに属し、ポリシー制御を担当する。ＵＥとＡＭＦエンティティ間の非アクセス層メッセージはＡＮを介して透過的に送信され、ＵＥとＳＭＦエンティティ間のセッション管理メッセージはＡＮとＡＭＦエンティティを介して透過的に送信される。
【発明の概要】
【発明が解決しようとする課題】
【０００４】
ＵＥがネットワークにアクセスした後、ネットワーク側は、データ送信のために当該ＵＥのための１つまたは複数のＰＤＵ（Ｐｒｏｔｏｃｏｌ Ｄａｔａ Ｕｎｉｔ，プロトコルデータユニット）セッションを確立する。ネットワークの接続性と最も基本的なサービス品質制御を維持するために、各ＰＤＵセッションが確立されるとき、ネットワーク側は当該ＰＤＵセッションのデフォルトのＱｏＳ（Ｑｕａｌｉｔｙ ｏｆ ｓｅｒｖｉｃｅ，サービス品質）フローを確立する必要がある。さらに、ネットワーク側では、デフォルトのＱｏＳフローに関連するデフォルトのＱｏＳルールを構成する必要があるため、ＵＥはアップリンクデータをデフォルトのＱｏＳルールとマッチングし、デフォルトのＱｏＳフローを介して送信できる。ただし、現時点では、ＮｅｘｔＧｅｎネットワークのデフォルトＱｏＳルールを生成する解決策はまだ案出されていない。
【課題を解決するための手段】
【０００５】
本発明は、ＮｅｘｔＧｅｎネットワークのためのデフォルトのＱｏＳルールを生成するための解決策がないという先行技術の問題を解決するために、デフォルトのサービス品質制御方法および装置を提供する。
【０００６】
上記の問題を解決するために、本発明の実施形態によって提供されるデフォルトのＱｏＳ制御方法は、
ＳＭＦエンティティは、ＰＣＦエンティティによって送信された少なくとも１つのＰＣＣルールからターゲットＰＣＣルールを決定するステップと、
前記ＳＭＦエンティティは、前記ターゲットＰＣＣルールに従って前記ＰＤＵセッションに対応するデフォルトのＱｏＳルールを生成し、前記デフォルトのＱｏＳルールを前記ＵＥに送信するステップとを備え、
ここで、前記ＰＣＣルールは、ＵＥのために確立されたＰＤＵセッションに属する。
【０００７】
本発明の実施形態によって提供される第２のデフォルトのＱｏＳ制御方法は、
ＰＣＦエンティティは、ＵＥのために確立された１つのＰＤＵセッションに対応する少なくとも１つのＰＣＣルールを決定ステップと、
前記ＰＣＦエンティティは、前記ＳＭＦエンティティに前記少なくとも１つのＰＣＣルールからターゲットＰＣＣルールを決定して、前記ターゲットＰＣＣルールに従って前記ＰＤＵセッションに対応するデフォルトのＱｏＳルールを生成するように、前記少なくとも１つのＰＣＣルールを前記ＳＭＦエンティティに送信するステップとを備える。
【０００８】
本発明の実施形態によって提供されるＳＭＦエンティティは、プロセッサおよびメモリを備え、
ここで、前記プロセッサは、メモリ内のプログラムを読み取り、ＰＣＦエンティティによって送信された少なくとも１つのＰＣＣルールからターゲットＰＣＣルールを決定し、ここで、前記ＰＣＣルールは、ＵＥのために確立されたＰＤＵセッションに属し、前記ターゲットＰＣＣルールに従って前記ＰＤＵセッションに対応するデフォルトのＱｏＳルールを生成し、前記デフォルトのＱｏＳルールを前記ＵＥに送信する。
【０００９】
本発明の実施形態によって提供されるＰＣＦエンティティは、プロセッサおよびメモリを備え、
ここで、プロセッサは、メモリ内のプログラムを読み取り、ＵＥのために確立された１つのＰＤＵセッションに対応する少なくとも１つのＰＣＣルールを決定し、前記ＳＭＦエンティティに、前記少なくとも１つのＰＣＣルールからターゲットＰＣＣルールを決定して、前記ターゲットＰＣＣルールに従って前記ＰＤＵセッションに対応するデフォルトのＱｏＳルールを生成するように、前記少なくとも１つのＰＣＣルールを前記ＳＭＦエンティティに送信する。
【００１０】
本発明の実施形態によって提供される第２のＳＭＦエンティティは、
ＰＣＦエンティティによって送信された少なくとも１つのＰＣＣルールからターゲットＰＣＣルールを決定するように構成された第１の決定モジュールであって、ここで、前記ＰＣＣルールは、ＵＥのために確立されたＰＤＵセッションに属する前記第１の決定モジュールと、
前記ターゲットＰＣＣルールに従って前記ＰＤＵセッションに対応するデフォルトのＱｏＳルールを生成し、前記デフォルトのＱｏＳルールを前記ＵＥに送信するように構成された第１の生成モジュールとを備える。
【００１１】
本発明の実施形態によって提供される第２のＰＣＦエンティティは、
ＵＥのために確立された１つのＰＤＵセッションに対応する少なくとも１つのＰＣＣルールを決定するように構成された第２の決定モジュールと、
前記ＳＭＦエンティティに、前記少なくとも１つのＰＣＣルールからターゲットＰＣＣルールを決定して、前記ターゲットＰＣＣルールに従って前記ＰＤＵセッションに対応するデフォルトのＱｏＳルールを生成するように、前記少なくとも１つのＰＣＣルールを前記ＳＭＦエンティティに送信するように構成された第１の送信モジュールとを備える。
【００１２】
本発明の実施形態は、その上にコンピュータプログラムを格納するコンピュータ可読記憶媒体を提供し、プログラムは、プロセッサによって実行されると、ＳＭＦエンティティによって実行されるステップを実施するか、またはＳＭＦエンティティによって実行されるステップを実施する。
【００１３】
本発明の実施形態では、ＳＭＦエンティティは、ＰＣＦエンティティによって送信された少なくとも１つのＰＣＣルールを受信し、少なくとも１つのＰＣＣルールからターゲットＰＣＣルールを決定し、ＳＭＦエンティティは、ターゲットＰＣＣルールに従ってＰＤＵセッションに対応するデフォルトのＱｏＳルールを生成し、ＵＥは、当該デフォルトのＱｏＳルールに従って、デフォルトのＱｏＳフローを介してアップリンクデータを送信できるため、ＰＤＵセッションの接続性およびＱｏＳ制御が保証される。デフォルトのＱｏＳルールを生成するためにＳＭＦによって使用されるターゲットＰＣＣルールは、ＵＥのＰＤＵセッションに対してＰＣＦエンティティのよって決定されたものであるため、特定のＵＥおよび特定のＰＤＵセッションの正確な制御が実施され、システム性能がさらに向上される。
【００１４】
本発明の実施形態によって提供される第３のデフォルトのＱｏＳ制御方法は、
ＳＭＦエンティティは、ＰＣＦエンティティによって送信された第３のパケットフィルタ情報が含まれるセッションレベルパラメータを受信するステップと、
前記ＳＭＦエンティティは、前記セッションレベルパラメータに従って前記ＰＤＵセッションに対応するデフォルトのＱｏＳルールを生成し、前記デフォルトのＱｏＳルールを前記ＵＥに送信するステップとを備え、
ここで、前記セッションレベルパラメータはＵＥのために確立されたＰＤＵセッションに属する。
【００１５】
本発明の実施形態によって提供される第４のデフォルトのＱｏＳ制御方法は、
ＰＣＦエンティティは、ＵＥのために確立された１つのＰＤＵセッションに対応する第３のパケットフィルタ情報が含まれるセッションレベルパラメータを決定するステップと、
前記ＰＣＦエンティティは、前記セッションレベルパラメータを前記ＳＭＦエンティティに送信し、前記ＳＭＦに前記セッションレベルパラメータに従って前記ＰＤＵセッションに対応するデフォルトのＱｏＳルールを生成させるようにするステップとを備える。
【００１６】
本発明の実施形態によって提供される第３のＳＭＦエンティティは、プロセッサおよびメモリを備え、
前記プロセッサは、メモリ内のプログラムを読み取り、ＰＣＦエンティティによって送信された第３のパケットフィルタ情報が含まれるセッションレベルパラメータを受信し、  ここで、前記セッションレベルパラメータはＵＥのために確立されたＰＤＵセッションに属し、前記セッションレベルパラメータに従って前記ＰＤＵセッションに対応するデフォルトのＱｏＳルールを生成し、前記デフォルトのＱｏＳルールを前記ＵＥに送信する。
【００１７】
本発明の実施形態によって提供される第３のＰＣＦエンティティは、プロセッサおよびメモリを備え、
前記プロセッサは、メモリ内のプログラムを読み取り、ＵＥのために確立された１つのＰＤＵセッションに対応する第３のパケットフィルタ情報が含まれるセッションレベルパラメータを決定して、前記ＳＭＦに前記セッションレベルパラメータに従って前記ＰＤＵセッションに対応するデフォルトのＱｏＳルールを生成するように、前記セッションレベルパラメータを前記ＳＭＦエンティティに送信する。
【００１８】
本発明の実施形態によって提供される第４のＳＭＦエンティティは、
ＰＣＦエンティティによって送信された第３のパケットフィルタ情報が含まれるセッションレベルパラメータを受信するように構成された受信モジュールと、
前記セッションレベルパラメータに従って前記ＰＤＵセッションに対応するデフォルトのＱｏＳルールを生成し、前記デフォルトのＱｏＳルールを前記ＵＥに送信するするように構成された第２の生成モジュールとを備え、
ここで、前記セッションレベルパラメータはＵＥのために確立されたＰＤＵセッションに属する。
【００１９】
本発明の実施形態によって提供される第４のＰＣＦエンティティは、
ＵＥのために確立された１つのＰＤＵセッションに対応する第３のパケットフィルタ情報が含まれるセッションレベルパラメータを決定するように構成された第３の決定モジュールと、
前記ＳＭＦに、前記セッションレベルパラメータに従って前記ＰＤＵセッションに対応するデフォルトのＱｏＳルールを生成するように、前記セッションレベルパラメータを前記ＳＭＦエンティティに送信するように構成された第２の送信モジュールとを備える。
【００２０】
本発明の実施形態は、その上にコンピュータプログラムを格納するコンピュータ可読記憶媒体を提供し、プログラムは、プロセッサによって実行されると、ＳＭＦエンティティによって実行されるステップを実施するか、またはＳＭＦエンティティによって実行されるステップを実施する。
【発明の効果】
【００２１】
本発明の実施形態では、ＳＭＦエンティティは、ＰＣＦエンティティによって送信された第３のパケットフィルタ情報が含まれるセッションレベルパラメータを受信し、第３のパケットフィルタ情報が含まれるセッションレベルパラメータに従って、ＰＤＵセッションに対応するデフォルトのＱｏＳルールを生成し、ＵＥは、当該デフォルトのＱｏＳルールに従って、デフォルトのＱｏＳフローを介してアップリンクデータを送信できるため、ＰＤＵセッションの接続性およびＱｏＳ制御が保証される。また、デフォルトのＱｏＳルールを生成するためにＳＭＦによって使用されるセッションレベルパラメータは、ＰＣＦエンティティにより、ＵＥのＰＤＵセッションに対して決定されたものであるため、特定のＵＥおよび特定のＰＤＵセッションの正確な制御が実施され、システム性能がさらに向上される。
【図面の簡単な説明】
【００２２】
【図１】背景技術におけるＮｅｘｔＧｅｎネットワークアーキテクチャの構造概略図である。
【図２】本発明の実施形態による第１のデフォルトのＱｏＳ制御システムの構造概略図である。
【図３】本発明の実施形態による第１のデフォルトのＱｏＳ制御の全プロセスの概略図である。
【図４】本発明の実施形態による第１のＳＭＦエンティティの構造概略図である。
【図５】本発明の実施形態による第１のＰＣＦエンティティの構造概略図である。
【図６】本発明の実施形態による第２のＳＭＦエンティティの構造概略図である。
【図７】本発明の実施形態による第２のＰＣＦエンティティの構造概略図である。
【図８】本発明の実施形態による第１のデフォルトのＱｏＳ制御方法のフロー概略図である。
【図９】本発明の実施形態による第２のデフォルトのＱｏＳ制御方法のフロー概略図である。
【図１０】本発明の実施形態による第２のデフォルトのＱｏＳ制御システムの構造概略図である。
【図１１】本発明の実施形態による第２のデフォルトのＱｏＳ制御の全プロセスの概略図である。
【図１２】本発明の実施形態による第３のＳＭＦエンティティの構造概略図である。
【図１３】本発明の実施形態による第３のＰＣＦエンティティの構造概略図である。
【図１４】本発明の実施形態による第４のＳＭＦエンティティの構造概略図である。
【図１５】本発明の実施形態による第４のＰＣＦエンティティの構造概略図である。
【図１６】本発明の実施形態による第３のデフォルトのＱｏＳ制御方法のフロー概略図である。
【図１７】本発明の実施形態による第４のデフォルトのＱｏＳ制御方法のフロー概略図である。
【発明を実施するための形態】
【００２３】
本発明の目的、技術的解決法、および利点をより明確にするために、本発明は、添付の図面を参照して以下に詳細にさらに説明される。説明される実施形態は、本発明の実施形態の一部であるが、すべての実施形態ではないことは明らかである。本発明の実施形態に基づいて、創造的な作業なしに当業者によって得られる他のすべての実施形態は、本発明の保護範囲に関係する。
【００２４】
本発明の実施形態によるＳＭＦエンティティは、ＰＣＦエンティティによって送信された少なくとも１つのＰＣＣルールからターゲットＰＣＣルールを決定し、前記ＳＭＦエンティティは、前記ターゲットＰＣＣルールに従ってＰＤＵセッションに対応するデフォルトのＱｏＳルールを生成し、前記デフォルトのＱｏＳルールをＵＥに送信する。
【００２５】
ここで、前記ＰＣＣルールは、ＵＥのために確立されたＰＤＵセッションに属する。
【００２６】
本発明の実施形態では、ＳＭＦエンティティは、ＰＣＦエンティティによって送信された少なくとも１つのＰＣＣルールを受信し、少なくとも１つのＰＣＣルールからターゲットＰＣＣルールを決定し、ＳＭＦエンティティは、ターゲットＰＣＣルールに従ってＰＤＵセッションに対応するデフォルトのＱｏＳルールを生成し、ＵＥは、当該デフォルトのＱｏＳルールに従って、デフォルトのＱｏＳフローを介してアップリンクデータを送信できるため、ＰＤＵセッションの接続性およびＱｏＳ制御が保証される。デフォルトのＱｏＳルールを生成するためにＳＭＦによって使用されるターゲットＰＣＣルールは、ＵＥのＰＤＵセッションに対してＰＣＦエンティティのよって決定されたものであるため、特定のＵＥおよび特定のＰＤＵセッションの正確な制御が実施され、システム性能がさらに向上される。
【００２７】
以下の説明では、ＳＭＦエンティティ側およびＰＣＦエンティティ側の協調的な実施から説明されるが、これは、それらが実施するために互いに協調しなければならないことを意味しない。実際に、ＳＭＦエンティティ側とＰＣＦエンティティ側が別々に実施すると、ＳＭＦエンティティ側とＰＣＦエンティティ側にそれぞれ存在する問題も解決されるが、これらを組み合わせて使用すると、より優れた技術的効果が得られる可能性がある。
【００２８】
図２に示すように、本発明の実施形態による第１のデフォルトのＱｏＳ制御システムは、ＳＭＦエンティティ２０と、ＰＣＦエンティティ２１とを備える。
【００２９】
前記ＳＭＦエンティティ２０は、ＰＣＦエンティティによって送信された少なくとも１つのＰＣＣルールからターゲットＰＣＣルールを決定し、前記ターゲットＰＣＣルールに従って前記ＰＤＵセッションに対応するデフォルトのＱｏＳルールを生成し、前記デフォルトのＱｏＳルールを前記ＵＥに送信する。ここで、前記ＰＣＣルールは、ＵＥのために確立されたＰＤＵセッションに属する。
【００３０】
ＰＣＦエンティティ２１は、ＵＥのために確立された１つのＰＤＵセッションに対応する少なくとも１つのＰＣＣルールを決定し、前記ＳＭＦエンティティに、前記少なくとも１つのＰＣＣルールからターゲットＰＣＣルールを決定して、前記ターゲットＰＣＣルールに従って前記ＰＤＵセッションに対応するデフォルトのＱｏＳルールを生成するように、前記少なくとも１つのＰＣＣルールを前記ＳＭＦエンティティに送信する。
【００３１】
本発明のこの実施形態においてデフォルトのＱｏＳ制御を実行するプロセスは、ＵＥのＰＤＵセッションごとに独立して実行され、デフォルトのＱｏＳ制御プロセスは、ＵＥのＰＤＵセッションを確立するプロセスで発生することに留意されたい。または、ＰＣＦエンティティは、ＰＤＵセッションの確立が完了した後に、ＰＤＵセッションのデフォルトのＱｏＳルールを変更することを決定する。
【００３２】
ＵＥのＰＤＵセッションを確立するプロセスにおいてデフォルトのＱｏＳ制御プロセスが発生し、ＰＣＦエンティティがＳＭＦエンティティとＰＣＦエンティティとの間のポリシー関連付け確立要求を受信した後、ＰＣＦエンティティは、当該ＰＤＵセッションに対応する少なくとも１つのＰＣＣルールを生成する。少なくとも１つの生成されたＰＣＣルールをＳＭＦエンティティに送信する。
【００３３】
ＰＤＵセッションの確立が完了した後、当ＰＣＦエンティティが、デフォルトのＱｏＳルール内の一部またはすべてパラメータを変更する必要があると判断すると、ＰＣＦエンティティは、当該ＰＤＵセッションに対応する少なくとも１つのＰＣＣルールを生成する。そして、生成された少なくとも１つのＰＣＣルールをＳＭＦエンティティに送信する。
【００３４】
必要に応じて、ＰＣＣルールは、第１の５ＱＩ（５Ｇ ＱｏＳ Ｉｎｄｉｃａｔｏｒ，５Ｇ ＱｏＳ指示）、第１のＡＲＰ（Ａｌｌｏｃａｔｉｏｎ ａｎｄ Ｒｅｔｅｎｔｉｏｎ Ｐｒｉｏｒｉｔｙ，割り当てと保持の優先度）、第１のパケットフィルタ情報および第１の優先度情報のうちの一部またはすべてを含む。
【００３５】
本発明の実施形態では、ＰＣＦエンティティによってＳＭＦエンティティに送信される少なくとも１つのＰＣＣルールは、ターゲットＰＣＣルールを含み、ＳＭＦエンティティは、当該ターゲットＰＣＣルールに従ってＰＤＵセッションに対応するデフォルトのＱｏＳルールを生成する。
【００３６】
ターゲットＰＣＣルールは、第１の５ＱＩ、第１のＡＲＰ、第１のパケットフィルタ情報および第１の優先度情報のうちの一部またはすべてを含む。
【００３７】
ＵＥのＰＤＵセッションに対応するターゲットＰＣＣルールを生成するとき、ＰＣＦエンティティは、ターゲットＰＣＣルール内の第１の５ＱＩ、第１のＡＲＰ、第１のパケットフィルタ情報および第１の優先度情報を決定する必要がある。
【００３８】
ターゲットＰＣＣルールにおける第１の５ＱＩおよび第１のＡＲＰを決定する方法は、ここでは詳細に説明されない既存の方法であり得る。
【００３９】
ターゲットＰＣＣルールの第１の優先度情報は、ＰＣＦエンティティによって構成され、ＰＣＦエンティティによって生成されたＰＤＵセッションに対応する少なくとも１つのＰＣＣルールでは、ターゲットＰＣＣルールの第１の優先度情報は、最小である。
【００４０】
ターゲットＰＣＣルールで第１のパケットフィルタ情報を決定するとき、ＰＣＦエンティティは、以下のいくつかまたはすべてに従ってそれを決定する。
【００４１】
前記ＵＥの識別子、前記ＰＤＵセッションによってアクセスされるＤＮＮ（Ｄａｔａ Ｎｅｔｗｏｒｋ Ｎａｍｅ，データネットワーク名称）情報、前記ＵＥのサブスクリプション関連情報、および前記ＵＥのデータモデル予測情報。
【００４２】
ここで、ＵＥの識別子は、ＳＭＦエンティティからＰＣＦエンティティに送信される。ＵＥのサブスクリプション関連情報は、ＰＣＦエンティティによってオペレータのデータベースから取得される。ＵＥのデータモデル予測情報は、オペレータのデータ分析ネットワーク要素からＰＣＦエンティティによって取得され、例えば、ＵＥのデータモデル予測情報は、ＵＥモバイル予測モデル、ＵＥアプリケーション使用モデルなどである。
【００４３】
本発明の一実施形態では、ＰＣＦエンティティによって送信された少なくとも１つのＰＣＣルールを受信した後、ＳＭＦエンティティは、少なくとも１つのＰＣＣルールからターゲットＰＣＣルールを決定する必要がある。特定の実施では、ＳＭＦエンティティは、次の３つのスキームでターゲットＰＣＣルールを決定できる。
【００４４】
スキーム１：ＳＭＦエンティティは、前記少なくとも１つのＰＣＣルールのうちの、デフォルト指示情報が含まれるＰＣＣルールをターゲットＰＣＣルールとする。
【００４５】
当該スキーム１では、ＰＣＦエンティティが、ＰＤＵセッションに対応する少なくとも１つのＰＣＣルールを生成するとき、前記ＰＣＦエンティティは、前記少なくとも１つのＰＣＣルール内の１つのＰＣＣルールにデフォルト指示情報を追加し、デフォルト指示情報が含まれるＰＣＣルールおよびその他のデフォルト指示情報が含まれていないＰＣＣルールを前記ＳＭＦエンティティに送信する。
【００４６】
ＰＣＦエンティティによって送信された少なくとも１つのＰＣＣルールを受信した後、ＳＭＦエンティティは、少なくとも１つのＰＣＣルールのうちの、デフォルト指示情報が含まれるＰＣＣルールをターゲットＰＣＣルールとする。
【００４７】
例えば、ＰＣＦエンティティは、ＰＤＵセッションに対応する４つのＰＣＣルール、すなわち、ＰＣＣルール１、ＰＣＣルール２、ＰＣＣルール３、およびＰＣＣルール４を生成する。ＰＣＦエンティティは、ＰＣＣルール２にデフォルト指示情報「Ａ」を追加する。ＰＣＦエンティティによって送信されたＰＤＵセッションに対応する４つのＰＣＣルールを受信した後、ＳＭＦエンティティは、デフォルト指示情報「Ａ」が含まれるＰＣＣルール２をターゲットＰＣＣルールとする。
【００４８】
スキーム２では、ＳＭＦエンティティは、前記少なくとも１つのＰＣＣルールの中で最も低い優先順位を有するＰＣＣルールをターゲットＰＣＣルールとする。
【００４９】
当該スキーム２では、ＰＣＦエンティティがＰＤＵセッションに対応する少なくとも１つのＰＣＣルールを生成するとき、前記ＰＣＦエンティティは、第１の優先度情報を含む少なくとも１つのＰＣＣルールをＳＭＦエンティティに送信する。
【００５０】
ＰＣＦエンティティによって生成された各ＰＣＣルールは、第１の優先度情報を含むことに留意されたい。
【００５１】
ＰＣＦエンティティによって送信された少なくとも１つのＰＣＣルールを受信した後、ＳＭＦエンティティは、含まれる第１の優先順位情報に従って各ＰＣＣルール内の第１の優先順位情報を比較することによって、最も低い優先順位を有するＰＣＣルールをターゲットＰＣＣルールとして採用する。
【００５２】
スキーム３：ＳＭＦエンティティは、セッションレベルパラメータと同一の第１のタイプの情報が配置されているＰＣＣルールを前記ターゲットＰＣＣルールとする。
【００５３】
当該スキーム３では、ＰＣＦエンティティが少なくとも１つのＰＣＣルールをＳＭＦエンティティに送信する前に、ＰＣＦエンティティは、ＰＤＵセッションに対応するセッションレベルパラメータを決定する。また、ＰＣＦエンティティが少なくとも１つのＰＣＣルールをＳＭＦエンティティに送信すると、ＰＤＵセッションに対応するセッションレベルパラメータもＳＭＦエンティティに送信する。
【００５４】
本発明のこの実施形態では、ＰＣＦエンティティは、ＰＤＵセッションに対応するセッションレベルパラメータおよび少なくとも１つのＰＣＣルールを同じメッセージで送信するか、または異なるメッセージを介して、ＰＤＵセッションに対応するセッションレベルパラメータおよび少なくとも１つのＰＣＣルールを送信することができることに留意されたい。特定の送信方法は制限されない。
【００５５】
対応して、ＳＭＦエンティティは、ＰＣＦエンティティによって送信されたセッションレベルパラメータを受信する。
【００５６】
ＳＭＦエンティティは、以下のスキームでターゲットＰＣＣルールを決定する：
ＳＭＦエンティティは、各ＰＣＣルールにおけるセッションレベルパラメータに対応する第１のタイプの情報を決定する。セッションレベルパラメータと同一の第１のタイプの情報が配置されているＰＣＣルールをターゲットＰＣＣルールとする。
【００５７】
必要に応じて、セッションレベルパラメータは、第２の５ＱＩおよび／または第２のＡＲＰである。
【００５８】
それに対応して、ＳＭＦエンティティは、各ＰＣＣルール内の最初の５ＱＩおよび／または第１のＡＲＰを第１のタイプの情報とする。
【００５９】
具体的には、セッションレベルパラメータが第２の５ＱＩおよび第２のＡＲＰである場合、ＳＭＦエンティティは、各ＰＣＣルール内の第１の５ＱＩおよび第１のＡＲＰを第１のタイプの情報とする。
【００６０】
少なくとも１つのＰＣＣルールからＳＭＦエンティティによって決定されたターゲットＰＣＣルールは、以下の条件を満たす。
【００６１】
ターゲットＰＣＣルールの第１の５ＱＩは、第２の５ＱＩと同じであり、ターゲットＰＣＣルールの第１のＡＲＰは、第２のＡＲＰと同じである。
【００６２】
セッションレベルパラメータが第２の５ＱＩである場合、ＳＭＦエンティティは、各ＰＣＣルールにおける第１の５ＱＩを第１のタイプの情報とする。
【００６３】
少なくとも１つのＰＣＣルールからＳＭＦエンティティによって決定されたターゲットＰＣＣルールは、以下の条件を満たす。
【００６４】
ターゲットＰＣＣルール内の第１の５ＱＩは、第２の５ＱＩと同じである。
【００６５】
セッションレベルパラメータが第２のＡＲＰであるとき、ＳＭＦエンティティは、各ＰＣＣルールにおける第１のＡＲＰを第１のタイプの情報とする。
【００６６】
少なくとも１つのＰＣＣルールからＳＭＦエンティティによって決定されたターゲットＰＣＣルールは、以下の条件を満たす。
【００６７】
ターゲットＰＣＣルールにおける第１のＡＲＰは、第２のＡＲＰと同じである。
【００６８】
本発明の一実施形態では、ＳＭＦエンティティがＰＣＦエンティティによって送信された少なくとも１つのＰＣＦルールを受信した後、ＳＭＦエンティティがＰＤＵセッションに対応するデフォルトのＱｏＳルールを生成する前に、ＳＭＦエンティティは、ＰＤＵセッションのためのデフォルトのＱｏＳフローのＱＦＩ（ＱｏＳ ｆｌｏｗ ｉｄｅｎｔｉｆｙ，ＱｏＳフロー識別子）を割り当てる。
【００６９】
特に、ＳＭＦエンティティが、ＵＥのためのＰＤＵセッションを確立するプロセスにおいて、ＰＤＵセッションに対応するデフォルトのＱｏＳルールを生成する場合、ＳＭＦエンティティは、当該ＰＤＵセッションのためのデフォルトのＱｏＳフローのＱＦＩ（ＱｏＳ ｆｌｏｗ ｉｄｅｎｔｉｆｙ，ＱｏＳフロー識別子）を割り当てる。
【００７０】
ＵＥのＰＤＵセッションの確立が完了した後、ＳＭＦエンティティがＰＤＵセッションに対応するデフォルトのＱｏＳルールを変更する場合、ＳＭＦエンティティは、当該ＰＤＵセッション確立プロセスにおいてＰＤＵセッションに割り当てられたデフォルトのＱｏＳフローのＱＦＩを決定する。
【００７１】
任意選択で、前記ＳＭＦエンティティは、前記デフォルトのＱｏＳフローのＱＦＩと前記ターゲットＰＣＣルールに従って、前記ＰＤＵセッションに対応するデフォルトのＱｏＳルールを生成する。
【００７２】
ここで、前記デフォルトのＱｏＳルールは以下情報のうちの一部またはすべてを含む。
【００７３】
第３の５ＱＩ、第３のＡＲＰ、第２のパケットフィルタ情報、第２の優先度情報およびデフォルトのＱｏＳフローのＱＦＩ。
【００７４】
実施では、ＳＭＦエンティティは、次のスキームの一部またはすべてで、前記ＰＤＵセッションに対応するデフォルトのＱｏＳルールを生成する：
スキーム１：前記ＳＭＦエンティティは、前記ターゲットＰＣＣルール内の第１の５ＱＩを前記デフォルトのＱｏＳルール内の第３の５ＱＩとする。
【００７５】
スキーム２：前記ＳＭＦエンティティは、前記ターゲットＰＣＣルール内の第１のＡＲＰを前記デフォルトのＱｏＳルール内の第３のＡＲＰとする。
【００７６】
スキーム３：前記ＳＭＦエンティは、前記ターゲットＰＣＣルール内の第１のパケットフィルタ情報を前記デフォルトのＱｏＳルール内の第２のパケットフィルタ情報とする。
【００７７】
スキーム４：前記ＳＭＦエンティティは、前記ターゲットＰＣＣルール内の第１の優先度情報を前記デフォルトのＱｏＳルール内の第２の優先度情報とする。
【００７８】
スキーム５：前記ＳＭＦエンティティは、前記デフォルトのＱｏＳフローのＱＦＩを前記デフォルトのＱｏＳルール内のデフォルトのＱｏＳフローのＱＦＩとする。
【００７９】
デフォルトのＱｏＳルールが、第２のパケットフィルタ情報、第２の優先度情報、およびデフォルトのＱｏＳフローのＱＦＩを含む場合、ＳＭＦエンティティは、上記のスキーム３、スキーム４およびスキーム５に従って、ＰＤＵセッションに対応するデフォルトのＱｏＳルールを生成する。
【００８０】
具体的には、ＳＭＦエンティティは、ターゲットＰＣＣルールの第１のパケットフィルタ情報をデフォルトのＱｏＳルールの第２のパケットフィルタ情報とし、前記ターゲットＰＣＣルールの第１の優先度情報をデフォルトのＱｏＳルールの第２の優先度情報とし、および前記デフォルトＱｏＳフローのＱＦＩを前記デフォルトＱｏＳルールのデフォルトＱｏＳフローのＱＦＩとする。
【００８１】
デフォルトのＱｏＳルールが、第３の５ＱＩ、第３のＡＲＰ、第２のパケットフィルタ情報、第２の優先度情報、およびデフォルトのＱｏＳフローのＱＦＩを含む場合、ＳＭＦエンティティは、スキーム１、スキーム２、スキーム３、スキーム４およびスキーム５ＰＤＵに従ってＰＤＵセッションに対応するデフォルトのＱｏＳルールを生成する。
【００８２】
具体的には、ＳＭＦエンティティは、前記ターゲットＰＣＣルール内の第１の５ＱＩを前記デフォルトのＱｏＳルール内の第３の５ＱＩとし、前記ターゲットＰＣＣルール内の第１のＡＲＰを前記デフォルトのＱｏＳルール内の第３のＡＲＰとし、前記ターゲットＰＣＣルール内の第１のパケットフィルタ情報を前記デフォルトのＱｏＳルール内の第２のパケットフィルタ情報とし、前記ターゲットＰＣＣルール内の第１の優先度情報を前記デフォルトのＱｏＳルール内の第２の優先度情報とし、および前記デフォルトのＱｏＳフローのＱＦＩを前記デフォルトのＱｏＳルール内のデフォルトのＱｏＳフローのＱＦＩとする。
【００８３】
本発明の一実施形態では、ＰＤＵセッションに対応するデフォルトのＱｏＳルールを生成した後、ＳＭＦエンティティは、デフォルトのＱｏＳルールをＡＭＦエンティティを介してＵＥに送信し、その結果、ＵＥは、デフォルトのＱｏＳルール内の第２のパケットフィルタ情報とマッチングするアップリンクデータを前記デフォルトのＱｏＳフローを介して送信する。
【００８４】
任意選択で、ＰＤＵセッションに対応するデフォルトのＱｏＳルールを生成した後、ＳＭＦエンティティは、デフォルトのＱｏＳルール内のデフォルトのＱｏＳフローの第２のパケットフィルタ情報およびＱＦＩをＵＰＦエンティティに送信し、その結果、ＵＰＦエンティティは、デフォルトのＱｏＳフローを介して第２のパケットフィルタ情報とマッチングするダウンリンクデータを送信する。
【００８５】
デフォルトのＱｏＳ制御プロセスは、特定の実施形態によって以下に示される。一例として、デフォルトのＱｏＳ制御は、ＵＥのＰＤＵセッションの確立プロセスで実行される。
【００８６】
図３に示されるように、本発明の実施形態の第１のデフォルトＱｏＳ制御のプロセス全体の概略図が示される：
ステップ３０１：ＳＭＦエンティティは、ＳＭＦエンティティとＰＣＦエンティティとの間のポリシー関連付け確立要求をＰＣＦエンティティに送信する。
【００８７】
ステップ３０２：ＰＣＦエンティティは、ＰＤＵセッションに対応する少なくとも１つのＰＣＣルールを生成する。
【００８８】
ここで、当該少なくとも１つのＰＣＣルールは、ターゲットＰＣＣルールを含む。
【００８９】
ステップ３０３：ＰＣＦエンティティは、ＰＤＵセッションに対応する少なくとも１つのＰＣＣルールをＳＭＦエンティティに送信する。
【００９０】
ステップ３０４：ＳＭＦエンティティは、ＰＤＵセッションに対応する少なくとも１つのＰＣＣルールからターゲットＰＣＣルールを決定する。
【００９１】
ステップ３０５：ＳＭＦエンティティは、当該ＰＤＵセッションにデフォルトのＱｏＳフローのＱＦＩを割り当てる。
【００９２】
ここで、ステップ３０４とステップ３０５は順序を区別しないことに注意する必要があり、ステップ３０５の前にステップ３０４を実行するか、ステップ３０４の前にステップ３０５を実行するか、またはステップ３０４とステップ３０５を同時に実行することが可能である。
【００９３】
ステップ３０６：ＳＭＦエンティティは、デフォルトのＱｏＳフローのＱＦＩおよびターゲットＰＣＣルールに従って、ＰＤＵセッションに対応するデフォルトのＱｏＳルールを生成する。
【００９４】
ステップ３０７：ＳＭＦエンティティは、デフォルトのＱｏＳルールの第２のパケットフィルタ情報およびデフォルトのＱｏＳフローのＱＦＩをＵＰＦエンティティに送信し、その結果、ＵＰＦエンティティは、第２のパケットフィルタ情報とマッチングするダウンリンクデータをデフォルトのＱｏＳフローにより送信する。
【００９５】
ステップ３０８：ＳＭＦエンティティは、デフォルトのＱｏＳルールをＡＭＦエンティティを介してＵＥに送信し、それにより、ＵＥは、デフォルトのＱｏＳフローを介してデフォルトのＱｏＳルール内の第２のパケットフィルタ情報とマッチングするアップリンクデータを送信するようになる。
【００９６】
ここで、ステップ３０７とステップ３０８は順序を区別しないことに注意する必要があり、ステップ３０８の前にステップ３０７を実行するか、ステップ３０７の前にステップ３０８を実行するか、またはステップ３０７とステップ３０８を同時に実行することが可能である。
【００９７】
図４に示されるように、本発明の実施形態の第１のＳＭＦエンティティは、プロセッサ４００、メモリ４０１、およびバスインターフェースを含む。
【００９８】
プロセッサ４００は、バスアーキテクチャ及び通常の処理を管理し、メモリ４０１は、プロセッサ４００が動作する際に利用するデータを記憶することができる。バスアーキテクチャは、任意の数の相互接続されたバスおよびブリッジを含み得、特に、プロセッサ４００によって表される１つ以上のプロセッサの様々な回路およびモリ４０１によって表されるメモリをリンクし得る。さらに、周辺装置、電圧調整器、電力管理回路などのさまざまな他の回路をリンクすることができ、これらはすべて当技術分野でよく知られており、したがって、本明細書では再度さらに説明しない。バスインターフェースはインターフェースを提供する。プロセッサ４００は、バスアーキテクチャ及び通常の処理を管理し、メモリ４０１は、プロセッサ４００が動作する際に利用するデータを記憶することができる。
【００９９】
本発明に係る実施例により開示された流れは、プロセッサ４００に適用することができるか、または、プロセッサ４００により実現される。実装プロセスにおいて、信号処理フローの各ステップは、プロセッサ４００内のハードウェアの論理集積回路またはソフトウェア形式の指令により完成されることができる。プロセッサ４００は、汎用プロセッサ、デジタル信号プロセッサ、専用集積回路、フィールドプログラマブル・ゲートアレイまたは他のプログラマブルロジック・デバイス、ディスクリート・ゲートまたはトランジスタロジック・デバイス、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ、プログラマブルリードオンリーメモリまたは電気的消去可能プログラマブルメモリ、レジスタなど本分野のよく知られる記憶媒体に格納されることができる。当該記憶媒体はメモリ４０１に位置し、プロセッサ４００はメモリ４０１に格納される情報を読み出して、そのハードウェアと組み合わせて信号処理フローのステップを完了する。
【０１００】
具体的に、プロセッサ４００は、メモリ４０１内のプログラムを読み取り、ＰＣＦエンティティによって送信された少なくとも１つのＰＣＣルールからターゲットＰＣＣルールを決定し、ここで、前記ＰＣＣルールは、ＵＥのために確立されたＰＤＵセッションに属し、前記ターゲットＰＣＣルールに従って前記ＰＤＵセッションに対応するデフォルトのＱｏＳルールを生成し、前記デフォルトのＱｏＳルールを前記ＵＥに送信する。
【０１０１】
任意選択で、前記ＰＣＣルールは、第１の５ＱＩ、第１のＡＲＰ、第１のパケットフィルタ情報および第１の優先度情報のうちの一部またはすべてを含む。
【０１０２】
任意選択で、前記プロセッサ４００は具体的に、前記少なくとも１つのＰＣＣルールのうちの、デフォルト指示情報が含まれるＰＣＣルールをターゲットＰＣＣルールとし、または、
前記少なくとも１つのＰＣＣルールのうちの、最も低い優先順位を有するＰＣＣルールをターゲットＰＣＣルールとする。
【０１０３】
任意選択で、前記プロセッサ４００はさらに、ＰＣＦエンティティによって送信された少なくとも１つのＰＣＣルールからターゲットＰＣＣルールを決定する前に、前記ＰＣＦエンティティによって送信されたセッションレベルパラメータを受信する。
【０１０４】
前記プロセッサ４００は具体的に、各ＰＣＣルール内の、前記セッションレベルパラメータと対応する第１のタイプの情報を決定し、前記セッションレベルパラメータと同じである第１のタイプの情報が配置されているＰＣＣルールを前記ターゲットＰＣＣルールとする。
【０１０５】
任意選択で、前記セッションレベルパラメータは第２の５ＱＩおよび/または第２のＡＲＰを含む。
【０１０６】
前記プロセッサ４００は具体的に、各ＰＣＣルール内の第１の５ＱＩおよび/または第１のＡＲＰを第１のタイプの情報とする。
【０１０７】
任意選択で、前記プロセッサ４００はさらに、前記ターゲットＰＣＣルールに従って前記ＰＤＵセッションに対応するデフォルトのＱｏＳルールを生成する前に、前記ＰＤＵセッションに割り当てられたデフォルトのＱｏＳフローのＱＦＩを決定する。
【０１０８】
前記プロセッサ４００は具体的に、前記デフォルトのＱｏＳフローのＱＦＩと前記ターゲットＰＣＣルールに従って、前記ＰＤＵセッションに対応するデフォルトのＱｏＳルールを生成する。
【０１０９】
任意選択で、前記デフォルトのＱｏＳルールは、第３の５ＱＩ、第３のＡＲＰ、第２のパケットフィルタ情報、第２の優先度情報およびデフォルトのＱｏＳフローのＱＦＩのうちの一部またはすべてを含む。
【０１１０】
任意選択で、前記プロセッサ４００は具体的に、次のスキームの一部またはすべてで、前記ＰＤＵセッションに対応するデフォルトのＱｏＳルールを生成する：
スキーム１：前記ターゲットＰＣＣルール内の第１の５ＱＩを前記デフォルトのＱｏＳルール内の第３の５ＱＩとする。
【０１１１】
スキーム２：前記ターゲットＰＣＣルール内の第１のＡＲＰを前記デフォルトのＱｏＳルール内の第３のＡＲＰとする。
【０１１２】
スキーム３：前記ＳＭＦエンティは、前記ターゲットＰＣＣルール内の第１のパケットフィルタ情報を前記デフォルトのＱｏＳルール内の第２のパケットフィルタ情報とする。
【０１１３】
スキーム４：前記ターゲットＰＣＣルール内の第１の優先度情報を前記デフォルトのＱｏＳルール内の第２の優先度情報とする。
【０１１４】
スキーム５：前記デフォルトのＱｏＳフローのＱＦＩを前記デフォルトのＱｏＳルール内のデフォルトのＱｏＳフローのＱＦＩとする。
【０１１５】
任意選択で、前記プロセッサ４００はさらに、前記ターゲットＰＣＣルールに従って前記ＰＤＵセッションに対応するデフォルトのＱｏＳルールを生成した後に、前記第２のパケットフィルタ情報と前記デフォルトのＱｏＳフローのＱＦＩをＵＰＦエンティティに送信し、ＵＰＦエンティティに前記第２のパケットフィルタ情報とマッチングするダウンリンクデータを前記デフォルトのＱｏＳフローを介して送信させるようにする。
【０１１６】
図５に示されるように、本発明の実施形態の第１のＰＣＦエンティティは、プロセッサ５００、メモリ５０１、およびバスインターフェースを含む。
【０１１７】
前記プロセッサ５００は、バスアーキテクチャ及び通常の処理を管理し、メモリ５０１は、プロセッサ５００が動作する際に利用するデータを記憶することができる。バスアーキテクチャは、任意の数の相互接続されたバスおよびブリッジを含み得、特に、プロセッサ５００によって表される１つ以上のプロセッサの様々な回路およびモリ５０１によって表されるメモリをリンクし得る。さらに、周辺装置、電圧調整器、電力管理回路などのさまざまな他の回路をリンクすることができ、これらはすべて当技術分野でよく知られており、したがって、本明細書では再度さらに説明しない。バスインターフェースはインターフェースを提供する。プロセッサ５００は、バスアーキテクチャ及び通常の処理を管理し、メモリ５０１は、プロセッサ５００が動作する際に利用するデータを記憶することができる。
【０１１８】
本発明に係る実施例により開示された流れは、プロセッサ４００に適用することができるか、または、プロセッサ４００により実現される。実装プロセスにおいて、信号処理フローの各ステップは、プロセッサ４００内のハードウェアの論理集積回路またはソフトウェア形式の指令により完成されることができる。プロセッサ４００は、汎用プロセッサ、デジタル信号プロセッサ、専用集積回路、フィールドプログラマブル・ゲートアレイまたは他のプログラマブルロジック・デバイス、ディスクリート・ゲートまたはトランジスタロジック・デバイス、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ、プログラマブルリードオンリーメモリまたは電気的消去可能プログラマブルメモリ、レジスタなど本分野のよく知られる記憶媒体に格納されることができる。当該記憶媒体はメモリ５０１に位置し、プロセッサ４００はメモリ５０１に格納される情報を読み出して、そのハードウェアと組み合わせて信号処理フローのステップを完了する。
【０１１９】
具体的に、前記プロセッサ５００は、メモリ５０１内のプログラムを読み取り、ＵＥのために確立された１つのＰＤＵセッションに対応する少なくとも１つのＰＣＣルールを決定し、前記ＳＭＦエンティティに、前記少なくとも１つのＰＣＣルールからターゲットＰＣＣルールを決定して、前記ターゲットＰＣＣルールに従って前記ＰＤＵセッションに対応するデフォルトのＱｏＳルールを生成するように、前記少なくとも１つのＰＣＣルールを前記ＳＭＦエンティティに送信する。
【０１２０】
任意選択で、前記ＰＣＣルールは、第１の５ＱＩ、第１のＡＲＰ、第１のパケットフィルタ情報および第１の優先度情報のうちの一部またはすべてを含む。
【０１２１】
任意選択で、前記プロセッサ５００は具体的に、前記少なくとも１つのＰＣＣルール内の１つのＰＣＣルールにデフォルト指示情報を追加し、前記デフォルト指示情報が含まれるＰＣＣルールおよびほかの前記デフォルト指示情報が含まれていないＰＣＣルールを前記ＳＭＦエンティティに送信することにより、前記ＳＭＦエンティティに前記デフォルト指示情報に従ってターゲットＰＣＣルールを決定させるようにし、または、
第１の優先度情報が含まれる少なくとも１つのＰＣＣルールを前記ＳＭＦエンティティに送信し、前記ＳＭＦエンティティに前記第１の優先度情報に従ってターゲットＰＣＣルールを決定させるようにする。
【０１２２】
任意選択で、前記プロセッサ５００はさらに、前記少なくとも１つのＰＣＣルールを前記ＳＭＦエンティティに送信する前に、前記ＰＤＵセッションに対応するセッションレベルパラメータを決定する。
【０１２３】
前記プロセッサ５００は具体的に、前記ＳＭＦエンティティに前記セッションレベルパラメータに従って、ターゲットＰＣＣルールを決定するように、前記少なくとも１つのＰＣＣルールおよび前記セッションレベルパラメータを前記ＳＭＦエンティティに送信する。
【０１２４】
任意選択で、前記セッションレベルパラメータは第２の５ＱＩおよび/または第２のＡＲＰを含む。
【０１２５】
任意選択で、前記プロセッサ５００は具体的に、以下の一部またはすべての情報に従って、前記ＰＣＣルール内の第１のパケットフィルタ情報を決定する：
前記ＵＥの識別子、前記ＰＤＵセッションによってアクセスされるＤＮＮ情報、前記ＵＥのサブスクリプション関連情報、前記ＵＥのデータモデル予測情報。
【０１２６】
図６に示すように、本発明の実施形態による第２のＳＭＦエンティティは、
ＰＣＦエンティティによって送信された少なくとも１つのＰＣＣルールからターゲットＰＣＣルールを決定するように構成された第１の決定モジュール６００と、
前記ターゲットＰＣＣルールに従って前記ＰＤＵセッションに対応するデフォルトのＱｏＳルールを生成し、前記デフォルトのＱｏＳルールを前記ＵＥに送信するするように構成された第１の生成モジュール６０１とを備える。
【０１２７】
ここで、前記ＰＣＣルールは、ＵＥのために確立されたＰＤＵセッションに属する。
【０１２８】
任意選択で、前記ＰＣＣルールは、第１の５ＱＩ、第１のＡＲＰ、第１のパケットフィルタ情報および第１の優先度情報のうちの一部またはすべてを含む。
【０１２９】
任意選択で、前記第１の決定モジュール６００は具体的に、前記少なくとも１つのＰＣＣルールのうちの、デフォルト指示情報が含まれるＰＣＣルールをターゲットＰＣＣルールとし、または、
前記少なくとも１つのＰＣＣルールのうちの、最も低い優先順位を有するＰＣＣルールをターゲットＰＣＣルールとする。
【０１３０】
任意選択で、前記第１の決定モジュール６００はさらに、ＰＣＦエンティティによって送信された少なくとも１つのＰＣＣルールからターゲットＰＣＣルールを決定する前に、前記ＰＣＦエンティティによって送信されたセッションレベルパラメータを受信する。
【０１３１】
前記第１の決定モジュール６００は具体的に、各ＰＣＣルール内の、前記セッションレベルパラメータと対応する第１のタイプの情報を決定し、前記セッションレベルパラメータと同じである第１のタイプの情報が配置されているＰＣＣルールを前記ターゲットＰＣＣルールとする。
【０１３２】
任意選択で、前記セッションレベルパラメータは第２の５ＱＩおよび/または第２のＡＲＰを含む。
【０１３３】
前記第１の決定モジュール６００は具体的に、各ＰＣＣルール内の第１の５ＱＩおよび/または第１のＡＲＰを第１のタイプの情報とする。
【０１３４】
任意選択で、前記第１の生成モジュール６０１はさらに、前記ターゲットＰＣＣルールに従って前記ＰＤＵセッションに対応するデフォルトのＱｏＳルールを生成する前に、前記ＰＤＵセッションに割り当てられたデフォルトのＱｏＳフローのＱＦＩを決定する。
【０１３５】
前記第１の生成モジュール６０１は具体的に、前記デフォルトのＱｏＳフローのＱＦＩと前記ターゲットＰＣＣルールに従って、前記ＰＤＵセッションに対応するデフォルトのＱｏＳルールを生成する。
【０１３６】
任意選択で、前記デフォルトのＱｏＳルールは、第３の５ＱＩ、第３のＡＲＰ、第２のパケットフィルタ情報、第２の優先度情報およびデフォルトのＱｏＳフローのＱＦＩのうちの一部またはすべてを含む。
【０１３７】
任意選択で、前記第１の生成モジュール６０１は具体的に、次のスキームの一部またはすべてで、前記ＰＤＵセッションに対応するデフォルトのＱｏＳルールを生成する：
スキーム１：前記ターゲットＰＣＣルール内の第１の５ＱＩを前記デフォルトのＱｏＳルール内の第３の５ＱＩとする。
【０１３８】
スキーム２：前記ターゲットＰＣＣルール内の第１のＡＲＰを前記デフォルトのＱｏＳルール内の第３のＡＲＰとする。
【０１３９】
スキーム３：前記ＳＭＦエンティは、前記ターゲットＰＣＣルール内の第１のパケットフィルタ情報を前記デフォルトのＱｏＳルール内の第２のパケットフィルタ情報とする。
【０１４０】
スキーム４：前記ターゲットＰＣＣルール内の第１の優先度情報を前記デフォルトのＱｏＳルール内の第２の優先度情報とする。
【０１４１】
スキーム５：前記デフォルトのＱｏＳフローのＱＦＩを前記デフォルトのＱｏＳルール内のデフォルトのＱｏＳフローのＱＦＩとする。
【０１４２】
任意選択で、前記第１の生成モジュール６０１はさらに、前記ターゲットＰＣＣルールに従って前記ＰＤＵセッションに対応するデフォルトのＱｏＳルールを生成した後に、前記第２のパケットフィルタ情報と前記デフォルトのＱｏＳフローのＱＦＩをＵＰＦエンティティに送信し、ＵＰＦエンティティに前記第２のパケットフィルタ情報とマッチングするダウンリンクデータを前記デフォルトのＱｏＳフローを介して送信させるようにする。
【０１４３】
図７に示すように、本発明の実施形態による第２のＰＣＦエンティティは、
ＵＥのために確立された１つのＰＤＵセッションに対応する少なくとも１つのＰＣＣルールを決定するように構成された第２の決定モジュール７００と、
前記ＳＭＦエンティティに、前記少なくとも１つのＰＣＣルールからターゲットＰＣＣルールを決定して、前記ターゲットＰＣＣルールに従って前記ＰＤＵセッションに対応するデフォルトのＱｏＳルールを生成するように、前記少なくとも１つのＰＣＣルールを前記ＳＭＦエンティティに送信するように構成された第１の送信モジュール７０１とを備える。
【０１４４】
任意選択で、前記ＰＣＣルールは、第１の５ＱＩ、第１のＡＲＰ、第１のパケットフィルタ情報および第１の優先度情報のうちの一部またはすべてを含む。
【０１４５】
任意選択で、前記第１の送信モジュール７０１は具体的に、前記少なくとも１つのＰＣＣルール内の１つのＰＣＣルールにデフォルト指示情報を追加し、前記デフォルト指示情報が含まれるＰＣＣルールおよびほかの前記デフォルト指示情報が含まれていないＰＣＣルールを前記ＳＭＦエンティティに送信することにより、前記ＳＭＦエンティティに前記デフォルト指示情報に従ってターゲットＰＣＣルールを決定させるようにし、または、
第１の優先度情報が含まれる少なくとも１つのＰＣＣルールを前記ＳＭＦエンティティに送信し、前記ＳＭＦエンティティに前記第１の優先度情報に従ってターゲットＰＣＣルールを決定させるようにする。
【０１４６】
任意選択で、前記第１の送信モジュール７０１はさらに、前記少なくとも１つのＰＣＣルールを前記ＳＭＦエンティティに送信する前に、前記ＰＤＵセッションに対応するセッションレベルパラメータを決定する。
【０１４７】
前記第１の送信モジュール７０１は具体的に、前記ＳＭＦエンティティに前記セッションレベルパラメータに従って、ターゲットＰＣＣルールを決定するように、前記少なくとも１つのＰＣＣルールおよび前記セッションレベルパラメータを前記ＳＭＦエンティティに送信する。
【０１４８】
任意選択で、前記セッションレベルパラメータは第２の５ＱＩおよび/または第２のＡＲＰを含む。
【０１４９】
任意選択で、前記第２の決定モジュール７００は具体的に、以下の一部またはすべての情報に従って、前記ＰＣＣルール内の第１のパケットフィルタ情報を決定する：
前記ＵＥの識別子、前記ＰＤＵセッションによってアクセスされるＤＮＮ情報、前記ＵＥのサブスクリプション関連情報、前記ＵＥのデータモデル予測情報。
【０１５０】
本発明の一実施形態は、その上にコンピュータプログラムを格納するコンピュータ可読記憶媒体を提供し、当該プログラムは、プロセッサによって実行されると、本発明の実施形態においてＳＭＦエンティティによって実行されるステップを実施する。
【０１５１】
本発明の実施形態は、その上にコンピュータプログラムを格納するコンピュータ可読記憶媒体を提供し、当該プログラムは、プロセッサによって実行されると、本発明の実施形態のＰＣＦエンティティによって実行されるステップを実施する。
【０１５２】
同じ発明思想に基づいて、本発明の実施形態は、デフォルトのＱｏＳ制御方法をさらに提供する。この方法に対応する装置は、本発明の実施形態のデフォルトのＱｏＳ制御システムのＳＭＦエンティティであり、この方法の問題を解決する原理は装置のそれと同様であるため、この方法の実施は実施を参照することができる。ここでは、装置の説明を省略し、繰り返しの説明は省略する。
【０１５３】
図８に示すように、本発明の実施形態の第１のデフォルトのＱｏＳ制御方法は、以下のステップを含む。
【０１５４】
ステップ８００：ＳＭＦエンティティは、ＰＣＦエンティティによって送信された少なくとも１つのＰＣＣルールからターゲットＰＣＣルールを決定し、ここで、前記ＰＣＣルールは、ＵＥのために確立されたＰＤＵセッションに属する。
【０１５５】
ステップ８０１、前記ＳＭＦエンティティは、前記ターゲットＰＣＣルールに従って前記ＰＤＵセッションに対応するデフォルトのＱｏＳルールを生成し、前記デフォルトのＱｏＳルールを前記ＵＥに送信する。
【０１５６】
任意選択で、前記ＰＣＣルールは、第１の５ＱＩ、第１のＡＲＰ、第１のパケットフィルタ情報および第１の優先度情報のうちの一部またはすべてを含む。
【０１５７】
任意選択で、前記ＳＭＦエンティティが、ＰＣＦエンティティによって送信された少なくとも１つのＰＣＣルールからターゲットＰＣＣルールを決定することは具体的に、
前記ＳＭＦエンティティは、前記少なくとも１つのＰＣＣルールのうちの、デフォルト指示情報が含まれるＰＣＣルールをターゲットＰＣＣルールとし、または、
前記ＳＭＦエンティティは、前記少なくとも１つのＰＣＣルールのうちの、最も低い優先順位を有するＰＣＣルールをターゲットＰＣＣルールとする。
【０１５８】
任意選択で、前記ＳＭＦエンティティが、ＰＣＦエンティティによって送信された少なくとも１つのＰＣＣルールからターゲットＰＣＣルールを決定する前に、前記ＳＭＦエンティティは、前記ＰＣＦエンティティによって送信されたセッションレベルパラメータを受信する。
【０１５９】
前記ＳＭＦエンティティが、ＰＣＦエンティティによって送信された少なくとも１つのＰＣＣルールからターゲットＰＣＣルールを決定することは具体的に、前記ＳＭＦエンティティは、各ＰＣＣルール内の、前記セッションレベルパラメータと対応する第１のタイプの情報を決定し、前記セッションレベルパラメータと同じである第１のタイプの情報が配置されているＰＣＣルールを前記ターゲットＰＣＣルールとする。
【０１６０】
任意選択で、前記セッションレベルパラメータは第２の５ＱＩおよび/または第２のＡＲＰを含む。
【０１６１】
前記ＳＭＦエンティティが各ＰＣＣルール内の前記セッションレベルパラメータと対応する第１のタイプの情報を決定することは具体的に、前記ＳＭＦエンティティは、各ＰＣＣルール内の第１の５ＱＩおよび/または第１のＡＲＰを第１のタイプの情報とする。
【０１６２】
任意選択で、前記ＳＭＦエンティティが、前記ターゲットＰＣＣルールに従って前記ＰＤＵセッションに対応するデフォルトのＱｏＳルールを生成する前に、前記ＳＭＦエンティティは、前記ＰＤＵセッションに割り当てられたデフォルトのＱｏＳフローのＱＦＩを決定する。
【０１６３】
前記ＳＭＦエンティティが、前記ターゲットＰＣＣルールに従って前記ＰＤＵセッションに対応するデフォルトのＱｏＳルールを生成することは具体的に、前記ＳＭＦエンティティは、前記デフォルトのＱｏＳフローのＱＦＩと前記ターゲットＰＣＣルールに従って、前記ＰＤＵセッションに対応するデフォルトのＱｏＳルールを生成する。
【０１６４】
任意選択で、前記デフォルトのＱｏＳルールは、第３の５ＱＩ、第３のＡＲＰ、第２のパケットフィルタ情報、第２の優先度情報およびデフォルトのＱｏＳフローのＱＦＩのうちの一部またはすべてを含む。
【０１６５】
任意選択で、前記ＳＭＦエンティティは、次のスキームの一部またはすべてで、前記ＰＤＵセッションに対応するデフォルトのＱｏＳルールを生成する：
スキーム１：前記ＳＭＦエンティティは、前記ターゲットＰＣＣルール内の第１の５ＱＩを前記デフォルトのＱｏＳルール内の第３の５ＱＩとする。
【０１６６】
スキーム２：前記ＳＭＦエンティティは、前記ターゲットＰＣＣルール内の第１のＡＲＰを前記デフォルトのＱｏＳルール内の第３のＡＲＰとする。
【０１６７】
スキーム３：前記ＳＭＦエンティは、前記ターゲットＰＣＣルール内の第１のパケットフィルタ情報を前記デフォルトのＱｏＳルール内の第２のパケットフィルタ情報とする。
【０１６８】
スキーム４：前記ＳＭＦエンティティは、前記ターゲットＰＣＣルール内の第１の優先度情報を前記デフォルトのＱｏＳルール内の第２の優先度情報とする。
【０１６９】
スキーム５：前記ＳＭＦエンティティは、前記デフォルトのＱｏＳフローのＱＦＩを前記デフォルトのＱｏＳルール内のデフォルトのＱｏＳフローのＱＦＩとする。
【０１７０】
任意選択で、前記ＳＭＦエンティティは、前記ターゲットＰＣＣルールに従って前記ＰＤＵセッションに対応するデフォルトのＱｏＳルールを生成した後に、前記ＳＭＦエンティティは、前記第２のパケットフィルタ情報と前記デフォルトのＱｏＳフローのＱＦＩをＵＰＦエンティティに送信し、ＵＰＦエンティティに前記第２のパケットフィルタ情報とマッチングするダウンリンクデータを前記デフォルトのＱｏＳフローを介して送信させるようにする。
【０１７１】
同じ発明思想に基づいて、本発明の実施形態は、デフォルトのＱｏＳ制御方法をさらに提供する。この方法に対応する装置は、本発明の実施形態のデフォルトのＱｏＳ制御システムのＰＣＦエンティティであり、この方法の問題を解決する原理は装置のそれと同様であるため、この方法の実施は実施を参照することができる。ここでは、装置の説明を省略し、繰り返しの説明は省略する。
【０１７２】
図９に示すように、本発明の実施形態の第２のデフォルトＱｏＳ制御方法は、以下を含む。
【０１７３】
ステップ９０１：ＰＣＦエンティティは、ＵＥのために確立された１つのＰＤＵセッションに対応する少なくとも１つのＰＣＣルールを決定する。
【０１７４】
ステップ９０２：前記ＰＣＦエンティティは、前記ＳＭＦエンティティに前記少なくとも１つのＰＣＣルールからターゲットＰＣＣルールを決定して、前記ターゲットＰＣＣルールに従って前記ＰＤＵセッションに対応するデフォルトのＱｏＳルールを生成するように、前記少なくとも１つのＰＣＣルールを前記ＳＭＦエンティティに送信する。
【０１７５】
任意選択で、前記ＰＣＣルールは、第１の５ＱＩ、第１のＡＲＰ、第１のパケットフィルタ情報および第１の優先度情報のうちの一部またはすべてを含む。
【０１７６】
任意選択で、前記ＰＣＦエンティティが前記少なくとも１つのＰＣＣルールを前記ＳＭＦエンティティに送信することは具体的に、
前記ＰＣＦエンティティは、前記少なくとも１つのＰＣＣルール内の１つのＰＣＣルールにデフォルト指示情報を追加し、前記デフォルト指示情報が含まれるＰＣＣルールおよびほかの前記デフォルト指示情報が含まれていないＰＣＣルールを前記ＳＭＦエンティティに送信することにより、前記ＳＭＦエンティティに前記デフォルト指示情報に従ってターゲットＰＣＣルールを決定させるようにし、または、
前記ＰＣＦエンティティは、第１の優先度情報が含まれる少なくとも１つのＰＣＣルールを前記ＳＭＦエンティティに送信し、前記ＳＭＦエンティティに前記第１の優先度情報に従ってターゲットＰＣＣルールを決定させるようにする。
【０１７７】
任意選択で、前記ＰＣＦエンティティが前記少なくとも１つのＰＣＣルールを前記ＳＭＦエンティティに送信する前に、前記ＰＣＦエンティティは、前記ＰＤＵセッションに対応するセッションレベルパラメータを決定する。
【０１７８】
前記ＰＣＦエンティティが前記少なくとも１つのＰＣＣルールを前記ＳＭＦエンティティに送信することは具体的に、
前記ＰＣＦエンティティは、前記ＳＭＦエンティティに前記セッションレベルパラメータに従って、ターゲットＰＣＣルールを決定するように、前記少なくとも１つのＰＣＣルールおよび前記セッションレベルパラメータを前記ＳＭＦエンティティに送信する。
【０１７９】
任意選択で、前記セッションレベルパラメータは第２の５ＱＩおよび/または第２のＡＲＰを含む。
【０１８０】
任意選択で、前記ＰＣＦエンティティは、以下の一部またはすべての情報に従って、前記ＰＣＣルール内の第１のパケットフィルタ情報を決定する：
前記ＵＥの識別子、前記ＰＤＵセッションによってアクセスされるＤＮＮ情報、前記ＵＥのサブスクリプション関連情報、前記ＵＥのデータモデル予測情報。
【０１８１】
本発明の実施形態によるＳＭＦエンティティは、ＰＣＦエンティティによって送信された第３のパケットフィルタ情報が含まれるセッションレベルパラメータを受信し、前記ＳＭＦエンティティは、前記セッションレベルパラメータに従って前記ＰＤＵセッションに対応するデフォルトのＱｏＳルールを生成し、前記デフォルトのＱｏＳルールを前記ＵＥに送信する。
【０１８２】
ここで、前記セッションレベルパラメータは、ＵＥのために確立されたＰＤＵセッションに属する。
【０１８３】
本発明の実施形態では、ＳＭＦエンティティは、ＰＣＦエンティティによって送信された第３のパケットフィルタ情報が含まれるセッションレベルパラメータを受信し、第３のパケットフィルタ情報が含まれるセッションレベルパラメータに従って、ＰＤＵセッションに対応するデフォルトのＱｏＳルールを生成し、ＵＥは、当該デフォルトのＱｏＳルールに従って、デフォルトのＱｏＳフローを介してアップリンクデータを送信できるため、ＰＤＵセッションの接続性およびＱｏＳ制御が保証される。また、デフォルトのＱｏＳルールを生成するためにＳＭＦによって使用されるセッションレベルパラメータは、ＰＣＦエンティティにより、ＵＥのＰＤＵセッションに対して決定されたものであるため、特定のＵＥおよび特定のＰＤＵセッションの正確な制御が実施され、システム性能がさらに向上される。
【０１８４】
以下の説明では、ＳＭＦエンティティ側およびＰＣＦエンティティ側の協調的な実施から説明されるが、これは、それらが実施するために互いに協調しなければならないことを意味しない。実際に、ＳＭＦエンティティ側とＰＣＦエンティティ側が別々に実施すると、ＳＭＦエンティティ側とＰＣＦエンティティ側にそれぞれ存在する問題も解決されるが、これらを組み合わせて使用すると、より優れた技術的効果が得られる可能性がある。
【０１８５】
図１０に示すように、本発明の実施形態による第２のデフォルトのＱｏＳ制御システムは、
ＰＣＦエンティティによって送信された第３のパケットフィルタ情報が含まれるセッションレベルパラメータを受信し、前記セッションレベルパラメータに従って前記ＰＤＵセッションに対応するデフォルトのＱｏＳルールを生成し、前記デフォルトのＱｏＳルールを前記ＵＥに送信するように構成されたＳＭＦエンティティ１００と、
ＵＥのために確立された１つのＰＤＵセッションに対応する第３のパケットフィルタ情報が含まれるセッションレベルパラメータを決定して、前記ＳＭＦに前記セッションレベルパラメータに従って前記ＰＤＵセッションに対応するデフォルトのＱｏＳルールを生成するように、前記セッションレベルパラメータを前記ＳＭＦエンティティに送信するように構成されたＰＣＦエンティティ１０１とを備える。
【０１８６】
本発明のこの実施形態においてデフォルトのＱｏＳ制御を実行するプロセスは、ＵＥのＰＤＵセッションごとに独立して実行され、デフォルトのＱｏＳ制御プロセスは、ＵＥのＰＤＵセッションを確立するプロセスで発生することに留意されたい。または、ＰＣＦエンティティは、ＰＤＵセッションの確立が完了した後に、ＰＤＵセッションのデフォルトのＱｏＳルールを変更することを決定する。
【０１８７】
ＵＥのＰＤＵセッションを確立するプロセスにおいてデフォルトのＱｏＳ制御プロセスが発生し、ＰＣＦエンティティがＳＭＦエンティティとＰＣＦエンティティとの間のポリシー関連付け確立要求を受信した後、ＰＣＦエンティティは、当該ＰＤＵセッションに対応するセッションレベルパラメータを生成し、生成されたセッションレベルパラメータをＳＭＦエンティティに送信する。
【０１８８】
ＰＤＵセッションの確立が完了した後、ＰＣＦエンティティが、デフォルトのＱｏＳルール内の一部またはすべてパラメータを変更する必要があると判断すると、ＰＣＦエンティティは、当該ＰＤＵセッションに対応するセッションレベルパラメータを生成し、生成されたセッションレベルパラメータをＳＭＦエンティティに送信する。
【０１８９】
本発明の実施形態ＰＣＦエンティティ生成されたＰＤＵセッションに対応するセッションレベルパラメータは、第３のパケットフィルタ情報を含む。
【０１９０】
任意選択で、当該セッションレベルパラメータは、第４の５ＱＩ、第４のＡＲＰおよび第３の優先度情報のうちの一部またはすべてを含む。
【０１９１】
ここで、ＰＣＦエンティティがセッションレベルパラメータ内の第４の５ＱＩおよび第４のＡＲＰを決定するとき、第４の５ＱＩおよび第４のＡＲＰを決定する方法は、従来技術の方法であり得、これは詳細に説明されない。
【０１９２】
セッションレベルパラメータの第３の優先度情報は、ＰＣＦエンティティによって構成される。
【０１９３】
セッションレベルパラメータで第３のパケットフィルタ情報を決定するとき、ＰＣＦエンティティは、以下のいくつかまたはすべてに従ってそれを決定する。
【０１９４】
前記ＵＥの識別子、前記ＰＤＵセッションによってアクセスされるＤＮＮ情報、前記ＵＥのサブスクリプション関連情報、前記ＵＥのデータモデル予測情報。
【０１９５】
ここで、ＵＥの識別子は、ＳＭＦエンティティからＰＣＦエンティティに送信される。ＵＥのサブスクリプション関連情報は、ＰＣＦエンティティによってオペレータのデータベースから取得される。ＵＥのデータモデル予測情報は、オペレータのデータ分析ネットワーク要素からＰＣＦエンティティによって取得され、例えば、ＵＥのデータモデル予測情報は、ＵＥモバイル予測モデル、ＵＥアプリケーション使用モデルなどである。
【０１９６】
本発明の一実施形態では、ＳＭＦエンティティがＰＣＦエンティティによって送信されたセッションレベルパラメータを受信した後、ＳＭＦエンティティがＰＤＵセッションに対応するデフォルトのＱｏＳルールを生成する前に、ＳＭＦエンティティは、ＰＤＵセッションに割り当てられたデフォルトＱｏＳフローのＱＦＩを決定する。
【０１９７】
具体的には、ＳＭＦエンティティが、ＵＥのＰＤＵセッションを確立するプロセスにおいて、ＰＤＵセッションに対応するデフォルトのＱｏＳルールを生成する場合、ＳＭＦエンティティは、ＰＤＵセッションのデフォルトのＱｏＳフローのＱＦＩを割り当てる。
【０１９８】
ＵＥのＰＤＵセッションの確立が完了した後、ＳＭＦエンティティがＰＤＵセッションに対応するデフォルトのＱｏＳルールを修正する場合、ＳＭＦエンティティは、ＰＤＵセッション確立プロセスにおいてＰＤＵセッションに割り当てられたデフォルトのＱｏＳフローのＱＦＩを決定する。
【０１９９】
任意選択で、前記ＳＭＦエンティティは、前記デフォルトのＱｏＳフローのＱＦＩと前記セッションレベルパラメータに従って、前記ＰＤＵセッションに対応するデフォルトのＱｏＳルールを生成する。
【０２００】
ここで、前記デフォルトのＱｏＳルールは、第５の５ＱＩ、第５のＡＲＰ、第４のパケットフィルタ情報、第４の優先度情報、およびデフォルトのＱｏＳフローのＱＦＩのうちの一部またはすべてを含む。
【０２０１】
実施では、ＳＭＦエンティティは、次のスキームの一部またはすべてで、前記ＰＤＵセッションに対応するデフォルトのＱｏＳルールを生成する：
スキーム１：前記ＳＭＦエンティティは、前記セッションレベルパラメータ内の第４の５ＱＩを前記デフォルトのＱｏＳルール内の第５の５ＱＩとする。
【０２０２】
スキーム２：前記ＳＭＦエンティティは、前記セッションレベルパラメータ内の第４のＡＲＰを前記デフォルトのＱｏＳルール内の第５のＡＲＰとする。
【０２０３】
スキーム３：前記ＳＭＦエンティティは、前記セッションレベルパラメータ内の第３のパケットフィルタ情報を前記デフォルトのＱｏＳルール内の第４のパケットフィルタ情報とする。
【０２０４】
スキーム４：前記ＳＭＦエンティティは、前記セッションレベルパラメータ内の第３の優先度情報を前記デフォルトのＱｏＳルール内の第４の優先度情報とする。
【０２０５】
スキーム５：前記ＳＭＦエンティティは、前記デフォルトのＱｏＳフローのＱＦＩを前記デフォルトのＱｏＳルール内のデフォルトのＱｏＳフローのＱＦＩとする。
【０２０６】
デフォルトのＱｏＳルールが第４のパケットフィルタ情報、第４の優先度情報、およびデフォルトのＱｏＳフローのＱＦＩを含む場合、ＳＭＦエンティティは、上記の第スキーム３、スキーム４およびスキーム５で、ＰＤＵセッションに対応するデフォルトのＱｏＳルールを生成する。
【０２０７】
具体的には、ＳＭＦエンティティは、前記セッションレベルパラメータの第３のパケットフィルタ情報をデフォルトのＱｏＳルールの第４のパケットフィルタ情報とし、セッションレベルパラメータの第３の優先度情報をデフォルトのＱｏＳの第４の優先度情報として取るルール、およびデフォルトＱｏＳフローのＱＦＩをデフォルトＱｏＳルールのデフォルトＱｏＳフローのＱＦＩとして使用する。
【０２０８】
デフォルトのＱｏＳルールが、第５の５ＱＩ、第５のＡＲＰ、第４のパケットフィルタ情報、第４の優先度情報、およびデフォルトのＱｏＳフローのＱＦＩを含む場合、ＳＭＦエンティティは、スキーム１、スキーム２、スキーム３、スキーム４およびスキーム５で、ＰＤＵセッションに対応するデフォルトのＱｏＳルールを生成する。
【０２０９】
具体的には、ＳＭＦエンティティは、セッションレベルパラメータの第４の５ＱＩをデフォルトのＱｏＳルールの第５の５ＱＩとし、セッションレベルパラメータの第４のＡＲＰをデフォルトのＱｏＳルールの第５のＡＲＰとし、第３のパケットをとる。セッションレベルパラメータのフィルタ情報は、デフォルトのＱｏＳルールの第４のパケットフィルタ情報として、セッションレベルパラメータの第３の優先度情報は、デフォルトＱｏＳルールの第４の優先度情報として、デフォルトのＱｏＳフローのＱＦＩは、デフォルトＱｏＳルールのデフォルトＱｏＳフローのＱＦＩとする。
【０２１０】
本発明の一実施形態では、ＰＤＵセッションに対応するデフォルトのＱｏＳルールを生成した後、ＳＭＦエンティティは、デフォルトのＱｏＳルールをＡＭＦエンティティを介してＵＥに送信し、その結果、ＵＥは、デフォルトのＱｏＳルール内の第４のパケットフィルタ情報とマッチングするアップリンクデータを前記デフォルトのＱｏＳフローを介して送信する。
【０２１１】
任意選択で、ＰＤＵセッションに対応するデフォルトのＱｏＳルールを生成した後、ＳＭＦエンティティは、デフォルトのＱｏＳルールにおけるデフォルトのＱｏＳフローの第４のパケットフィルタ情報およびＱＦＩをＵＰＦエンティティに送信し、その結果、ＵＰＦエンティティは、デフォルトのＱｏＳフローを介して第４のパケットフィルタ情報とマッチングするダウンリンクデータを送信する。
【０２１２】
デフォルトのＱｏＳ制御プロセスは、特定の実施形態によって以下に示される。一例として、デフォルトのＱｏＳ制御は、ＵＥのＰＤＵセッションの確立プロセスで実行される。
【０２１３】
図１１に示すように、本発明の実施形態の第２のデフォルトＱｏＳ制御のプロセス全体の概略図が示されている。
【０２１４】
ステップ１１０１：ＳＭＦエンティティは、ＳＭＦエンティティとＰＣＦエンティティとの間のポリシー関連付け確立要求をＰＣＦエンティティに送信する。
【０２１５】
ステップ１１０２：ＰＣＦエンティティは、ＰＤＵセッションに対応するセッションレベルパラメータを生成する。
【０２１６】
ここで、当該セッションレベルパラメータは、少なくとも第３のパケットフィルタ情報を含む。
【０２１７】
ステップ１１０３：ＰＣＦエンティティは、第３のパケットフィルタ情報を含むセッションレベルパラメータをＳＭＦエンティティに送信する。
【０２１８】
ステップ１１０４：ＳＭＦエンティティは、当該ＰＤＵセッションにデフォルトのＱｏＳフローのＱＦＩを割り当てる。
【０２１９】
ステップ１１０５：ＳＭＦエンティティは、デフォルトのＱｏＳフローのＱＦＩおよびセッションレベルパラメータに従って、ＰＤＵセッションに対応するデフォルトのＱｏＳルールを生成する。
【０２２０】
ステップ１１０６：ＳＭＦエンティティは、デフォルトのＱｏＳルール内の第４のパケットフィルタ情報およびデフォルトのＱｏＳフローのＱＦＩをＵＰＦエンティティに送信し、それにより、ＵＰＦエンティティは、第４のパケットフィルタ情報とマッチングするダウンリンクデータをデフォルトのＱｏＳフローにより送信する。
【０２２１】
ステップ１１０７：ＳＭＦエンティティは、デフォルトのＱｏＳルールをＡＭＦエンティティを介してＵＥに送信し、それにより、ＵＥは、デフォルトのＱｏＳフローを介して、デフォルトのＱｏＳルール内の第４のパケットフィルタ情報とマッチングするアップリンクデータを送信する。
【０２２２】
ここで、ステップ１１０６とステップ１１０７は順序を区別しないことに注意する必要があり、ステップ１１０７の前にステップ１１０６を実行するか、ステップ１１０６の前にステップ１１０７を実行するか、またはステップ１１０６とステップ１１０７を同時に実行することが可能である。
【０２２３】
図１２に示すように、本発明の実施形態の第３のＳＭＦエンティティは、プロセッサ１２００、メモリ１２０１、およびバスインターフェースを含む。
【０２２４】
プロセッサ１２００は、バスアーキテクチャ及び通常の処理を管理し、メモリ１２０１は、プロセッサ１２００が動作する際に利用するデータを記憶することができる。バスアーキテクチャは、任意の数の相互接続されたバスおよびブリッジを含み得、特に、プロセッサ１２００によって表される１つ以上のプロセッサの様々な回路およびモリ１２０１によって表されるメモリをリンクし得る。さらに、周辺装置、電圧調整器、電力管理回路などのさまざまな他の回路をリンクすることができ、これらはすべて当技術分野でよく知られており、したがって、本明細書では再度さらに説明しない。バスインターフェースはインターフェースを提供する。プロセッサ１２００は、バスアーキテクチャ及び通常の処理を管理し、メモリ１２０１は、プロセッサ１２００が動作する際に利用するデータを記憶することができる。
【０２２５】
本発明に係る実施例により開示された流れは、プロセッサ１２００に適用することができるか、または、プロセッサ１２００により実現される。実現の間、周波数ドメインにおける拡散伝送流れにおける各々ステップは、プロセッサ１２００内のハードウェアの論理集積回路またはソフトウェア形式の指令により完成されることができる。プロセッサ１２００は、汎用プロセッサ、デジタル信号プロセッサ、専用集積回路、フィールドプログラマブル・ゲートアレイまたは他のプログラマブルロジック・デバイス、ディスクリート・ゲートまたはトランジスタロジック・デバイス、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ、プログラマブルリードオンリーメモリまたは電気的消去可能プログラマブルメモリ、レジスタなど本分野のよく知られる記憶媒体に格納されることができる。当該記憶媒体はメモリ１２０１に位置し、プロセッサ１２００はメモリ１２０１に格納される情報を読み出して、そのハードウェアと協働し信号処理フローのステップを完成する。
【０２２６】
具体的に、プロセッサ１２００は、メモリ１２０１内のプログラムを読み取り、ＰＣＦエンティティによって送信された第３のパケットフィルタ情報が含まれるセッションレベルパラメータを受信し、ここで、前記セッションレベルパラメータはＵＥのために確立されたＰＤＵセッションに属し、前記セッションレベルパラメータに従って前記ＰＤＵセッションに対応するデフォルトのＱｏＳルールを生成し、前記デフォルトのＱｏＳルールを前記ＵＥに送信する。
【０２２７】
任意選択で、前記セッションレベルパラメータは、さらに以下の情報のうちの一部またはすべてを含む：
第４の５ＱＩ、第４のＡＲＰ、第３の優先度情報。
【０２２８】
任意選択で、前記プロセッサ１２００はさらに、前記セッションレベルパラメータに従って前記ＰＤＵセッションに対応するデフォルトのＱｏＳルールを生成するする前に、前記ＰＤＵセッションに割り当てられたデフォルトのＱｏＳフローのＱＦＩを決定する。
【０２２９】
前記プロセッサ１２００は具体的に、前記デフォルトのＱｏＳフローのＱＦＩと前記セッションレベルパラメータに従って、前記ＰＤＵセッションに対応するデフォルトのＱｏＳルールを生成する。
【０２３０】
任意選択で、前記デフォルトのＱｏＳルールは以下情報のうちの一部またはすべてを含む：
第５の５ＱＩ、第５のＡＲＰ、第４のパケットフィルタ情報、第４の優先度情報、デフォルトのＱｏＳフローのＱＦＩ。
【０２３１】
任意選択で、前記プロセッサ１２００は具体的に、次のスキームの一部またはすべてで、前記ＰＤＵセッションに対応するデフォルトのＱｏＳルールを生成する：
スキーム１：前記セッションレベルパラメータ内の第４の５ＱＩを前記デフォルトのＱｏＳルール内の第５の５ＱＩとする。
【０２３２】
スキーム２：前記セッションレベルパラメータ内の第４のＡＲＰを前記デフォルトのＱｏＳルール内の第５のＡＲＰとする。
【０２３３】
スキーム３：前記セッションレベルパラメータ内の第３のパケットフィルタ情報を前記デフォルトのＱｏＳルール内の第４のパケットフィルタ情報とする。
【０２３４】
スキーム４：前記セッションレベルパラメータ内の第３の優先度情報を前記デフォルトのＱｏＳルール内の第４の優先度情報とする。
【０２３５】
スキーム５：前記デフォルトのＱｏＳフローのＱＦＩを前記デフォルトのＱｏＳルール内のデフォルトのＱｏＳフローのＱＦＩとする。
【０２３６】
任意選択で、前記プロセッサ１２００はさらに、前記セッションレベルパラメータに従って前記ＰＤＵセッションに対応するデフォルトのＱｏＳルールを生成した後、ＵＰＦエンティティに前記第４のパケットフィルタ情報とマッチングするダウンリンクデータを前記デフォルトのＱｏＳフローを介して送信するように、前記第４のパケットフィルタ情報と前記デフォルトのＱｏＳフローのＱＦＩをＵＰＦエンティティに送信する。
【０２３７】
図１３に示すように、本発明の実施形態の第３のＰＣＦエンティティは、プロセッサ１３００、メモリ１３０１、およびバスインターフェースを含む。
【０２３８】
プロセッサ１３００は、バスアーキテクチャ及び通常の処理を管理し、メモリ１３０１は、プロセッサ１３００が動作する際に利用するデータを記憶することができる。バスアーキテクチャは、任意の数の相互接続されたバスおよびブリッジを含み得、特に、プロセッサ１３００によって表される１つ以上のプロセッサの様々な回路およびモリ１３０１によって表されるメモリをリンクし得る。さらに、周辺装置、電圧調整器、電力管理回路などのさまざまな他の回路をリンクすることができ、これらはすべて当技術分野でよく知られており、したがって、本明細書では再度さらに説明しない。バスインターフェースはインターフェースを提供する。プロセッサ１３００は、バスアーキテクチャ及び通常の処理を管理し、メモリ１３０１は、プロセッサ１３００が動作する際に利用するデータを記憶することができる。
【０２３９】
本発明に係る実施例により開示された流れは、メモリ１３００に適用することができるか、または、メモリ１３００により実現される。実現の間、周波数ドメインにおける拡散伝送流れにおける各々ステップは、メモリ１３００内のハードウェアの論理集積回路またはソフトウェア形式の指令により完成されることができる。メモリ１３００は、汎用プロセッサ、デジタル信号プロセッサ、専用集積回路、フィールドプログラマブル・ゲートアレイまたは他のプログラマブルロジック・デバイス、ディスクリート・ゲートまたはトランジスタロジック・デバイス、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ、プログラマブルリードオンリーメモリまたは電気的消去可能プログラマブルメモリ、レジスタなど本分野のよく知られる記憶媒体に格納されることができる。当該記憶媒体はメモリ１３０１に位置し、メモリ１３００はメモリ１３０１に格納される情報を読み出して、そのハードウェアと協働し信号処理フローのステップを完成する。
【０２４０】
具体的に、プロセッサ１３００は、メモリ１３０１内のプログラムを読み取り、以下を実行するように構成され、
ＵＥのために確立された１つのＰＤＵセッションに対応する第３のパケットフィルタ情報が含まれるセッションレベルパラメータを決定して、前記ＳＭＦに前記セッションレベルパラメータに従って前記ＰＤＵセッションに対応するデフォルトのＱｏＳルールを生成するように、前記セッションレベルパラメータを前記ＳＭＦエンティティに送信する。
【０２４１】
任意選択で、前記セッションレベルパラメータは、さらに以下の情報のうちの一部またはすべてを含む：
第４の５ＱＩ、第４のＡＲＰ、第３の優先度情報。
【０２４２】
任意選択で、前記プロセッサ１３００は具体的に、以下の一部またはすべての情報に従って、前記セッションレベルパラメータ内の第３のパケットフィルタ情報を決定する：
前記ＵＥの識別子、前記ＰＤＵセッションによってアクセスされるＤＮＮ情報、前記ＵＥのサブスクリプション関連情報、前記ＵＥのデータモデル予測情報。
【０２４３】
図１４に示すように、本発明の実施形態による第４のＳＭＦエンティティは、
ＰＣＦエンティティによって送信された第３のパケットフィルタ情報が含まれるセッションレベルパラメータを受信するように構成された受信モジュール１４００と、
前記セッションレベルパラメータに従って前記ＰＤＵセッションに対応するデフォルトのＱｏＳルールを生成し、前記デフォルトのＱｏＳルールを前記ＵＥに送信するするように構成された第２の生成モジュール１４０１とを備える。
【０２４４】
ここで、前記セッションレベルパラメータはＵＥのために確立されたＰＤＵセッションに属する。
【０２４５】
任意選択で、前記セッションレベルパラメータは、さらに以下の情報のうちの一部またはすべてを含む：
第４の５ＱＩ、第４のＡＲＰ、第３の優先度情報。
【０２４６】
任意選択で、前記第２の生成モジュール１４０１はさらに、前記セッションレベルパラメータに従って前記ＰＤＵセッションに対応するデフォルトのＱｏＳルールを生成する前に、前記ＰＤＵセッションに割り当てられたデフォルトのＱｏＳフローのＱＦＩを決定する。
【０２４７】
前記第２の生成モジュール１４０１は具体的に、前記デフォルトのＱｏＳフローのＱＦＩと前記セッションレベルパラメータに従って、前記ＰＤＵセッションに対応するデフォルトのＱｏＳルールを生成する。
【０２４８】
任意選択で、前記デフォルトのＱｏＳルールは以下情報のうちの一部またはすべてを含み、
第５の５ＱＩ、第５のＡＲＰ、第４のパケットフィルタ情報、第４の優先度情報、デフォルトのＱｏＳフローのＱＦＩ。
【０２４９】
任意選択で、前記第２の生成モジュール１４０１は具体的に、次のスキームの一部またはすべてで、前記ＰＤＵセッションに対応するデフォルトのＱｏＳルールを生成する：
スキーム１：前記セッションレベルパラメータ内の第４の５ＱＩを前記デフォルトのＱｏＳルール内の第５の５ＱＩとする。
【０２５０】
スキーム２：前記セッションレベルパラメータ内の第４のＡＲＰを前記デフォルトのＱｏＳルール内の第５のＡＲＰとする。
【０２５１】
スキーム３：前記セッションレベルパラメータ内の第３のパケットフィルタ情報を前記デフォルトのＱｏＳルール内の第４のパケットフィルタ情報とする。
【０２５２】
スキーム４：前記セッションレベルパラメータ内の第３の優先度情報を前記デフォルトのＱｏＳルール内の第４の優先度情報とする。
【０２５３】
スキーム５：前記デフォルトのＱｏＳフローのＱＦＩを前記デフォルトのＱｏＳルール内のデフォルトのＱｏＳフローのＱＦＩとする。
【０２５４】
任意選択で、前記第２の生成モジュール１４０１はさらに、
前記セッションレベルパラメータに従って前記ＰＤＵセッションに対応するデフォルトのＱｏＳルールを生成した後、ＵＰＦエンティティに前記第４のパケットフィルタ情報とマッチングするダウンリンクデータを前記デフォルトのＱｏＳフローを介して送信するように、前記第４のパケットフィルタ情報と前記デフォルトのＱｏＳフローのＱＦＩをＵＰＦエンティティに送信する。
【０２５５】
図１５に示すように、本発明の実施形態による第４のＰＣＦエンティティは、
ＵＥのために確立された１つのＰＤＵセッションに対応する第３のパケットフィルタ情報が含まれるセッションレベルパラメータを決定するように構成された第３の決定モジュール１５００と、
前記セッションレベルパラメータを前記ＳＭＦエンティティに送信し、前記ＳＭＦに前記セッションレベルパラメータに従って前記ＰＤＵセッションに対応するデフォルトのＱｏＳルールを生成させるようにするように構成された第２の送信モジュール１５０１とを備える。
【０２５６】
任意選択で、前記セッションレベルパラメータは、さらに以下の情報のうちの一部またはすべてを含む：
第４の５ＱＩ、第４のＡＲＰ、第３の優先度情報。
【０２５７】
任意選択で、前記第３の決定モジュール１５００は具体的に、以下の一部またはすべての情報に従って、前記セッションレベルパラメータ内の第３のパケットフィルタ情報を決定する。
【０２５８】
前記ＵＥの識別子、前記ＰＤＵセッションによってアクセスされるＤＮＮ情報、前記ＵＥのサブスクリプション関連情報、前記ＵＥのデータモデル予測情報。
【０２５９】
本発明の実施形態は、その上にコンピュータプログラムを格納するコンピュータ可読記憶媒体を提供し、プログラムは、プロセッサによって実行されると、本発明の実施形態においてＳＭＦエンティティによって実行されるステップを実施する。
【０２６０】
本発明の実施形態は、その上にコンピュータプログラムを格納するコンピュータ可読記憶媒体を提供し、プログラムは、プロセッサによって実行されると、本発明の実施形態のＰＣＦエンティティによって実行されるステップを実施する。
【０２６１】
同じ発明思想に基づいて、本発明の実施形態は、デフォルトのＱｏＳ制御方法をさらに提供する。この方法に対応する装置は、本発明の実施形態のデフォルトのＱｏＳ制御システムのＳＭＦエンティティであり、この方法の問題を解決する原理は装置のそれと同様であるため、この方法の実施は実施を参照することができる。ここでは、装置の説明を省略し、繰り返しの説明は省略する。
【０２６２】
図１６に示すように、本発明の実施形態の第３のデフォルトＱｏＳ制御方法は、以下を含む。
【０２６３】
ステップ１６００：ＳＭＦエンティティは、ＰＣＦエンティティによって送信された第３のパケットフィルタ情報が含まれるセッションレベルパラメータを受信し、ここで、前記セッションレベルパラメータはＵＥのために確立されたＰＤＵセッションに属する。
【０２６４】
ステップ１６０１：前記ＳＭＦエンティティは、前記セッションレベルパラメータに従って前記ＰＤＵセッションに対応するデフォルトのＱｏＳルールを生成し、前記デフォルトのＱｏＳルールを前記ＵＥに送信する。
【０２６５】
任意選択で、前記セッションレベルパラメータは、さらに以下の情報のうちの一部またはすべてを含む：
第４の５ＱＩ、第４のＡＲＰ、第３の優先度情報。
【０２６６】
任意選択で、前記ＳＭＦエンティティが、前記セッションレベルパラメータに従って前記ＰＤＵセッションに対応するデフォルトのＱｏＳルールを生成する前に、前記ＳＭＦエンティティは、前記ＰＤＵセッションに割り当てられたデフォルトのＱｏＳフローのＱＦＩを決定する。
【０２６７】
前記ＳＭＦエンティティが、前記セッションレベルパラメータに従って前記ＰＤＵセッションに対応するデフォルトのＱｏＳルールを生成することは具体的に、前記ＳＭＦエンティティは、前記デフォルトのＱｏＳフローのＱＦＩと前記セッションレベルパラメータに従って、前記ＰＤＵセッションに対応するデフォルトのＱｏＳルールを生成する。
【０２６８】
任意選択で、前記デフォルトのＱｏＳルールは以下情報のうちの一部またはすべてを含む：
第５の５ＱＩ、第５のＡＲＰ、第４のパケットフィルタ情報、第４の優先度情報、デフォルトのＱｏＳフローのＱＦＩ。
【０２６９】
任意選択で、前記ＳＭＦエンティティは、次のスキームの一部またはすべてで、前記ＰＤＵセッションに対応するデフォルトのＱｏＳルールを生成する：
スキーム１：前記ＳＭＦエンティティは、前記セッションレベルパラメータ内の第４の５ＱＩを前記デフォルトのＱｏＳルール内の第５の５ＱＩとする。
【０２７０】
スキーム２：前記ＳＭＦエンティティは、前記セッションレベルパラメータ内の第４のＡＲＰを前記デフォルトのＱｏＳルール内の第５のＡＲＰとする。
【０２７１】
スキーム３：前記ＳＭＦエンティティは、前記セッションレベルパラメータ内の第３のパケットフィルタ情報を前記デフォルトのＱｏＳルール内の第４のパケットフィルタ情報とする。
【０２７２】
スキーム４：前記ＳＭＦエンティティは、前記セッションレベルパラメータ内の第３の優先度情報を前記デフォルトのＱｏＳルール内の第４の優先度情報とする。
【０２７３】
スキーム５：前記ＳＭＦエンティティは、前記デフォルトのＱｏＳフローのＱＦＩを前記デフォルトのＱｏＳルール内のデフォルトのＱｏＳフローのＱＦＩとする。
【０２７４】
任意選択で、前記ＳＭＦエンティティは、前記セッションレベルパラメータに従って前記ＰＤＵセッションに対応するデフォルトのＱｏＳルールを生成した後、前記ＳＭＦエンティティは、ＵＰＦエンティティに前記第４のパケットフィルタ情報とマッチングするダウンリンクデータを前記デフォルトのＱｏＳフローを介して送信するように、前記第４のパケットフィルタ情報と前記デフォルトのＱｏＳフローのＱＦＩをＵＰＦエンティティに送信する。
【０２７５】
同じ発明思想に基づいて、本発明の実施形態は、デフォルトのＱｏＳ制御方法をさらに提供する。この方法に対応する装置は、本発明の実施形態のデフォルトのＱｏＳ制御システムのＰＣＦエンティティであり、この方法の問題を解決する原理は装置のそれと同様であるため、この方法の実施は実施を参照することができる。ここでは、装置の説明を省略し、繰り返しの説明は省略する。
【０２７６】
図１７に示すように、本発明の実施形態の第４のデフォルトのＱｏＳ制御方法は、以下を含む。
【０２７７】
ステップ１７００：ＰＣＦエンティティは、ＵＥのために確立された１つのＰＤＵセッションに対応する第３のパケットフィルタ情報が含まれるセッションレベルパラメータを決定する。
【０２７８】
ステップ１７０１：前記ＰＣＦエンティティは、前記セッションレベルパラメータを前記ＳＭＦエンティティに送信し、前記ＳＭＦに前記セッションレベルパラメータに従って前記ＰＤＵセッションに対応するデフォルトのＱｏＳルールを生成させるようにする。
【０２７９】
任意選択で、前記セッションレベルパラメータは、さらに以下の情報のうちの一部またはすべてを含む：
第４の５ＱＩ、第４のＡＲＰ、第３の優先度情報。
【０２８０】
任意選択で、前記ＰＣＦエンティティは、以下の一部またはすべての情報に従って、前記セッションレベルパラメータ内の第３のパケットフィルタ情報を決定する：
前記ＵＥの識別子、前記ＰＤＵセッションによってアクセスされるＤＮＮ情報、前記ＵＥのサブスクリプション関連情報、前記ＵＥのデータモデル予測情報。
【０２８１】
本発明は、本開示の実施形態による方法、装置（システム）およびコンピュータプログラム製品のフローチャートおよび／またはブロック図で説明された。フローチャートおよび／またはブロック図のそれぞれのフローおよび／またはブロック、ならびにフローチャートおよび／またはブロック図のフローおよび／またはブロックの結合は、コンピュータプログラム命令で実施できることを理解されたい。これらのコンピュータプログラム命令は、汎用コンピュータ、特定用途コンピュータ、組み込みプロセッサ、または別のプログラム可能なデータ処理装置のプロセッサにロードして、コンピュータまたは他のプロセッサで実行される命令が実行されるようにマシンを生成できる。プログラム可能なデータ処理装置は、フローチャートのフローおよび/またはブロック図のブロックで指定された機能を実行するための手段を作成する。
【０２８２】
したがって、本開示の実施形態は、ハードウェアおよび／またはソフトウェア（したがって、アプリケーションは、ハードウェアおよび／またはソフトウェア（ファームウェア、常駐ソフトウェア、マイクロコードなどを含む）で実施することもできる）によって実施することができる。本開示の実施形態は、コンピュータ使用可能またはコンピュータ可読記憶媒体上のコンピュータプログラム製品によって実施することができ、コンピュータプログラム製品は、命令による使用のために媒体に実施されたコンピュータ使用可能またはコンピュータ可読プログラムコードを有する。本開示の文脈において、コンピュータ使用可能またはコンピュータ可読媒体は、またはによって使用されるプログラムを含む、格納する、通信する、送信する、または転送することができる任意の媒体であり得る。こうして、命令でシステム、装置、または設備の使用を実行するか、命令も加えてでシステム、装置、または設備の使用を実行する。
【０２８３】
無論、当業者によって、上述した実施形態に記述された技術的な解決手段を改造し、または、その中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０２８４】
20  ＳＭＦエンティティ
21  ＰＣＦエンティティ
100  ＳＭＦエンティティ
101  ＰＣＦエンティティ
400  プロセッサ
401  メモリ
500  プロセッサ
501  メモリ
600  第１の決定モジュール
601  第１の生成モジュール
700  第２の決定モジュール
701  第１の送信モジュール
1200  プロセッサ
1201  メモリ
1300  プロセッサ
1301  メモリ
1400  受信モジュール
1401  第２の生成モジュール
1500  第３の決定モジュール
1501  第２の送信モジュール
【図１】
2021510274.tif 000003
【図２】
2021510274.tif 000004
【図３】
2021510274.tif 000005
【図４】
2021510274.tif 000006
【図５】
2021510274.tif 000007
【図６】
2021510274.tif 000008
【図７】
2021510274.tif 000009
【図８】
2021510274.tif 000010
【図９】
2021510274.tif 000011
【図１０】
2021510274.tif 000012
【図１１】
2021510274.tif 000013
【図１２】
2021510274.tif 000014
【図１３】
2021510274.tif 000015
【図１４】
2021510274.tif 000016
【図１５】
2021510274.tif 000017
【図１６】
2021510274.tif 000018
【図１７】
2021510274.tif 000019
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
セッション管理機能（ＳＭＦ）エンティティは、ポリシー管理機能（ＰＣＦ）エンティティによって送信された少なくとも１つのポリシー課金制御（ＰＣＣ）ルールからターゲットＰＣＣルールを決定するステップと、
前記ＳＭＦエンティティは、前記ターゲットＰＣＣルールに従ってＰＤＵセッションに対応するデフォルトのＱｏＳルールを生成し、前記デフォルトのＱｏＳルールをＵＥに送信するステップとを備え、
ここで、前記ＰＣＣルールは、ユーザー機器（ＵＥ）のために確立されたポリシーデータユニット（ＰＤＵ）セッションに属することを特徴とするデフォルトのサービス品質（ＱｏＳ）の制御方法。
【請求項２】
前記ＰＣＣルールは、第１の５Ｇ ＱｏＳ指示（５ＱＩ）、第１の割り当てと保持の優先度（Ａｌｌｏｃａｔｉｏｎ ａｎｄ Ｒｅｔｅｎｔｉｏｎ Ｐｒｉｏｒｉｔｙ, ＡＲＰ）、第１のパケットフィルタ情報および第１の優先度情報のうちの一部またはすべてを含むことを特徴とする請求項１に記載のデフォルトのサービス品質（ＱｏＳ）の制御方法。
【請求項３】
前記ＳＭＦエンティティが、ＰＣＦエンティティによって送信された少なくとも１つのＰＣＣルールからターゲットＰＣＣルールを決定することは、
前記ＳＭＦエンティティは、前記少なくとも１つのＰＣＣルールのうちの、デフォルト指示情報が含まれるＰＣＣルールをターゲットＰＣＣルールとし、または、
前記ＳＭＦエンティティは、前記少なくとも１つのＰＣＣルールのうちの、最も低い優先順位を有するＰＣＣルールをターゲットＰＣＣルールとすることを特徴とする請求項１または請求項２に記載のデフォルトのサービス品質（ＱｏＳ）の制御方法。
【請求項４】
前記ＳＭＦエンティティが、ＰＣＦエンティティによって送信された少なくとも１つのＰＣＣルールからターゲットＰＣＣルールを決定する前に、
前記ＳＭＦエンティティは、前記ＰＣＦエンティティによって送信されたセッションレベルパラメータを受信し、
前記ＳＭＦエンティティが、ＰＣＦエンティティによって送信された少なくとも１つのＰＣＣルールからターゲットＰＣＣルールを決定することは、
前記ＳＭＦエンティティは、各ＰＣＣルール内の、前記セッションレベルパラメータと対応する第１のタイプの情報を決定し、前記セッションレベルパラメータと同じである第１のタイプの情報が配置されているＰＣＣルールを前記ターゲットＰＣＣルールとすることを特徴とする請求項１または請求項２に記載のデフォルトのサービス品質（ＱｏＳ）の制御方法。
【請求項５】
前記セッションレベルパラメータは第２の５ＱＩおよび/または第２のＡＲＰを含み、
前記ＳＭＦエンティティが各ＰＣＣルール内の前記セッションレベルパラメータと対応する第１のタイプの情報を決定することは、
前記ＳＭＦエンティティは、各ＰＣＣルール内の第１の５ＱＩおよび/または第１のＡＲＰを第１のタイプの情報とすることを備えることを特徴とする請求項４に記載のデフォルトのサービス品質（ＱｏＳ）の制御方法。
【請求項６】
前記ＳＭＦエンティティが、前記ターゲットＰＣＣルールに従って前記ＰＤＵセッションに対応するデフォルトのＱｏＳルールを生成する前に、
前記ＳＭＦエンティティは、前記ＰＤＵセッションに割り当てられたデフォルトのＱｏＳフローのＱｏＳフロー識別子ＱＦＩを決定し、
前記ＳＭＦエンティティが、前記ターゲットＰＣＣルールに従って前記ＰＤＵセッションに対応するデフォルトのＱｏＳルールを生成することは、
前記ＳＭＦエンティティは、前記デフォルトのＱｏＳフローのＱＦＩと前記ターゲットＰＣＣルールに従って、前記ＰＤＵセッションに対応するデフォルトのＱｏＳルールを生成することを備えることを特徴とする請求項１から請求項５のいずれか一項に記載のデフォルトのサービス品質（ＱｏＳ）の制御方法。
【請求項７】
前記デフォルトのＱｏＳルールは、第３の５ＱＩ、第３のＡＲＰ、第２のパケットフィルタ情報、第２の優先度情報およびデフォルトのＱｏＳフローのＱＦＩのうちの一部またはすべてを含むことを特徴とする請求項６に記載のデフォルトのサービス品質（ＱｏＳ）の制御方法。
【請求項８】
前記ＳＭＦエンティティは、次のスキームの一部またはすべてで、前記ＰＤＵセッションに対応するデフォルトのＱｏＳルールを生成し、
スキーム１：前記ＳＭＦエンティティは、前記ターゲットＰＣＣルール内の第１の５ＱＩを前記デフォルトのＱｏＳルール内の第３の５ＱＩとし、
スキーム２：前記ＳＭＦエンティティは、前記ターゲットＰＣＣルール内の第１のＡＲＰを前記デフォルトのＱｏＳルール内の第３のＡＲＰとし、
スキーム３：前記ＳＭＦエンティは、前記ターゲットＰＣＣルール内の第１のパケットフィルタ情報を前記デフォルトのＱｏＳルール内の第２のパケットフィルタ情報とし、
スキーム４：前記ＳＭＦエンティティは、前記ターゲットＰＣＣルール内の第１の優先度情報を前記デフォルトのＱｏＳルール内の第２の優先度情報とし、
スキーム５：前記ＳＭＦエンティティは、前記デフォルトのＱｏＳフローのＱＦＩを前記デフォルトのＱｏＳルール内のデフォルトのＱｏＳフローのＱＦＩとすることを特徴とする請求項７に記載のデフォルトのサービス品質（ＱｏＳ）の制御方法。
【請求項９】
前記ＳＭＦエンティティが、前記ターゲットＰＣＣルールに従って前記ＰＤＵセッションに対応するデフォルトのＱｏＳルールを生成した後に、
前記ＳＭＦエンティティは、第２のパケットフィルタ情報と前記デフォルトのＱｏＳフローのＱＦＩをＵＰＦエンティティに送信し、ＵＰＦエンティティに前記第２のパケットフィルタ情報とマッチングするダウンリンクデータを前記デフォルトのＱｏＳフローを介して送信させるようにすることを特徴とする請求項６から請求項８のいずれか一項に記載のデフォルトのサービス品質（ＱｏＳ）の制御方法。
【請求項１０】
ポリシー管理機能（ＰＣＦ）エンティティは、ユーザー機器（ＵＥ）のために確立された１つのポリシーデータユニット（ＰＤＵ）セッションに対応する少なくとも１つのポリシー課金制御（ＰＣＣ）ルールを決定するステップと、 
前記ＰＣＦエンティティは、前記少なくとも１つのＰＣＣルールをセッション管理機能（ＳＭＦ）エンティティに送信し、前記ＳＭＦエンティティに前記少なくとも１つのＰＣＣルールからターゲットＰＣＣルールを決定して、前記ターゲットＰＣＣルールに従って前記ＰＤＵセッションに対応するデフォルトのＱｏＳルールを生成させるようにするステップとを備えることを特徴とするデフォルトのサービス品質制御方法。
【請求項１１】
前記ＰＣＣルールは、第１の５Ｇ ＱｏＳ指示（５ＱＩ）、第１の割り当てと保持の優先度（Ａｌｌｏｃａｔｉｏｎ ａｎｄ Ｒｅｔｅｎｔｉｏｎ Ｐｒｉｏｒｉｔｙ, ＡＲＰ）、第１のパケットフィルタ情報および第１の優先度情報のうちの一部またはすべてを含むことを特徴とする請求項１０に記載のデフォルトのサービス品質制御方法。
【請求項１２】
前記ＰＣＦエンティティは、
前記ＵＥの識別子、前記ＰＤＵセッションによってアクセスされるデータネットワーク名称（Ｄａｔａ Ｎｅｔｗｏｒｋ Ｎａｍｅ, ＤＮＮ）情報、前記ＵＥのサブスクリプション関連情報および前記ＵＥのデータモデル予測情報のうちの一部またはすべての情報に従って、前記ＰＣＣルール内の第１のパケットフィルタ情報を決定することを特徴とする請求項１１に記載のデフォルトのサービス品質制御方法。
【請求項１３】
ＰＣＦエンティティによって送信された少なくとも１つのＰＣＣルールからターゲットＰＣＣルールを決定するように構成された第１の決定モジュールと、
前記ターゲットＰＣＣルールに従ってＰＤＵセッションに対応するデフォルトのＱｏＳルールを生成し、前記デフォルトのＱｏＳルールをＵＥに送信するように構成された第１の生成モジュールとを備え、
前記ＰＣＣルールは、ＵＥのために確立されたＰＤＵセッションに属することを特徴とするＳＭＦエンティティ。
【請求項１４】
ＵＥのために確立された１つのＰＤＵセッションに対応する少なくとも１つのＰＣＣルールを決定するように構成された第２の決定モジュールと、
ＳＭＦエンティティに、前記少なくとも１つのＰＣＣルールからターゲットＰＣＣルールを決定して、前記ターゲットＰＣＣルールに従って前記ＰＤＵセッションに対応するデフォルトのＱｏＳルールを生成するように、前記少なくとも１つのＰＣＣルールを前記ＳＭＦエンティティに送信するように構成された第１の送信モジュールとを備えることを特徴とするＰＣＦエンティティ。
【請求項１５】
プロセッサによって実行されると、請求項１から請求項９のいずれか１項の方法のステップまたは請求項１０から請求項１２のいずれか１項の方法のステップを実施するコンピュータプログラムを記憶するコンピュータ可読記憶媒体。
【国際調査報告】
2021510274.tif 000020
2021510274.tif 000021
2021510274.tif 000022
2021510274.tif 000023